(57)【特許請求の範囲】
【請求項１】
表紙と本身の各用紙をくるみ製本して製本物とする製本装置に接続されて該製本装置と共に製本システムを構成する印刷装置が有する給紙部の情報を取得する給紙部情報取得部と、
前記取得した情報が、前記印刷装置が有する給紙部が複数であることを示す内容である場合は、前記製本物の画像の印刷要求に対する印刷設定として、前記本身の用紙の給紙元を前記印刷装置の複数の給紙部から選択した給紙部とし、前記表紙の用紙の給紙元を前記印刷装置の複数の給紙部のうち前記本身の用紙の給紙元以外の給紙部から選択した給紙部とする給紙設定を受け付けると共に、前記取得した情報が、前記印刷装置が有する給紙部が単一であることを示す内容である場合は、前記製本物の画像の印刷要求に対する印刷設定として、前記本身の用紙の給紙元を前記印刷装置の給紙部とし、前記表紙の用紙の給紙元を前記製本装置が有する給紙部とする給紙設定を受け付ける給紙設定受付部と、
前記製本物の画像の印刷要求に対する印刷設定として、前記印刷装置で行う印刷を前記表紙の用紙に対する印刷のみとする表紙別印刷とするか否かの印刷パターン設定を受け付ける印刷パターン設定受付部と、
前記受け付けた給紙設定及び前記受け付けた印刷パターン設定に対応する印刷設定のデータと前記印刷要求に係る前記製本物の画像のデータとを含む印刷ジョブを生成して前記印刷装置に出力する印刷ジョブ生成部と、
を備える印刷制御装置であって、
前記印刷ジョブ生成部は、前記受け付けた印刷パターン設定が前記表紙別印刷であり、かつ、前記取得した情報が前記印刷装置が有する給紙部が単一であることを示す内容である場合に、前記表紙の用紙の給紙元を前記印刷装置の給紙部に変更した前記印刷ジョブを生成する、
ことを特徴とする印刷制御装置。
【請求項２】
前記印刷ジョブ生成部は、前記製本物の印刷要求のうち前記表紙の用紙についての印刷要求が前記印刷装置により前記表紙の用紙の裏面のみに画像を印刷させる印刷要求である場合に、該画像の印刷先を前記表紙の用紙の表面に変更した印刷ジョブを生成することを特徴とする請求項１記載の印刷制御装置。
【請求項３】
前記印刷ジョブ生成部は、前記表紙の用紙に印刷する画像が本単位で内容の異なるバリアブル画像である場合に、前記印刷装置における前記表紙の用紙の印刷順を逆順とした印刷ジョブを生成して前記印刷装置に出力することを特徴とする請求項２記載の印刷制御装置。
【請求項４】
表紙と本身の各用紙をくるみ製本して製本物とする製本装置に接続され、請求項１、２又は３記載の印刷制御装置の印刷ジョブ生成部が出力した印刷ジョブの印刷を行う印刷装置であって、
前記本身の用紙の給紙元を前記印刷装置の複数の給紙部から選択した給紙部とし、前記表紙の用紙の給紙元を前記印刷装置の複数の給紙部のうち前記本身の用紙の給紙元以外の給紙部から選択した給紙部として、製本物単位で給紙元を切り替えて前記表紙及び本身の両用紙に対する印刷を行う通常印刷中に、前記本身の用紙に対する印刷に中断が発生した場合に、前記通常印刷から前記表紙の用紙に対する印刷のみを行う表紙別印刷に切り替えて印刷を継続させる中断時制御部を備える、
ことを特徴とする印刷装置。
【請求項５】
前記中断時制御部は、前記表紙別印刷の終了後に、該表紙別印刷における前記表紙の用紙の給紙元を前記本身の用紙の給紙元として選択可能とすることを特徴とする請求項４記載の印刷装置。
【請求項６】
前記中断時制御部は、前記中断が発生した原因の解消後の所定の時点で前記表紙別印刷を終了し、該表紙別印刷中に画像が印刷された前記表紙の用紙の枚数に対応する製本部数分、前記本身の用紙に画像を印刷する本身印刷を行って、該製本部数分の前記本身の用紙に画像を印刷させると共に、前記表紙別印刷中に画像が印刷された前記製本部数分の表紙の用紙が供給される前記製本装置に、前記本身印刷により画像が印刷された前記製本部数分の前記本身の用紙を供給させた後、前記本身印刷から前記通常印刷に切り替えて前記表紙及び本身の両用紙に対する印刷を行うことを特徴とする請求項４又は５記載の印刷装置。
【請求項７】
前記表紙別印刷による印刷済みの前記表紙の用紙が排出される表紙排出部をさらに備えており、該表紙排出部は、前記本身印刷による印刷後の本身の用紙が前記製本装置に給紙される際に、前記表紙別印刷により画像が印刷された前記表紙の用紙を、前記印刷後の本身の用紙と同期して前記製本装置に給紙する給紙元となることを特徴とする請求項６記載の印刷装置。
【請求項８】
表紙と本身の各用紙をくるみ製本して製本物とする製本装置に接続されて該製本装置と共に製本システムを構成する印刷装置が有する給紙部の情報を取得する給紙部情報取得部と、
前記取得した情報が、前記印刷装置の給紙部が単一である場合は、前記製本物の印刷設定として、前記本身の用紙の給紙元を前記印刷装置の給紙部とし、前記表紙の用紙の給紙元を前記製本装置の給紙部とする給紙設定を受け付ける給紙設定受付部と、
前記製本物の画像の印刷要求に対する印刷設定として、前記印刷装置で行う印刷を前記表紙の用紙に対する印刷のみとする表紙別印刷とするか否かの印刷パターン設定が前記表紙別印刷であり、かつ、前記取得した情報が前記印刷装置の給紙部が単一である場合に、前記表紙の用紙の給紙元を前記印刷装置の給紙部に変更した印刷ジョブを生成する印刷ジョブ生成部を備える、
ことを特徴とする印刷制御装置。
【発明の詳細な説明】
【技術分野】
【０００１】
本発明は、くるみ製本される表紙及び本身を印刷する印刷装置と、印刷装置による表紙や本身の印刷パターンを制御する印刷制御装置に関する。
【背景技術】
【０００２】
表紙と本身を印刷装置で印刷し製本装置でくるみ製本する製本システムでは、通常、一つの本に製本される表紙及び本身の用紙を印刷装置に順次給紙する処理を製本部数分繰り返す印刷パターンが実行される。しかし、この印刷パターンでは、製本部数が多くなった場合に、印刷装置に供給する用紙を表紙用紙と本身用紙との間で切り替える回数が増えて、印刷装置や製本システムの生産性が低下する。
【０００３】
そこで、本出願人は過去に、製本部数（印刷部数）が多い場合には印刷装置の印刷パターンを、表紙と本身とをそれぞれ製本部数分まとめて印刷する別の印刷パターンに切り替える、という提案を行っている。
【０００４】
この印刷パターンで表紙と本身とを印刷してくるみ製本する場合は、まず、表紙の用紙の印刷を行って印刷済みの表紙の用紙を製本装置の給紙トレイにセットする。続いて、給紙トレイから製本装置に表紙の用紙が供給されるのに同期して、本身の用紙の印刷を行って印刷済みの本身の用紙を印刷装置から製本装置に供給している（例えば、特許文献１）。
【先行技術文献】
【特許文献】
【０００５】
【特許文献１】特開２０１３−１７８７０５号公報
【発明の概要】
【発明が解決しようとする課題】
【０００６】
上述した表紙と本身とをそれぞれまとめて印刷する印刷パターンは、給紙トレイを１つしか有していない印刷装置で表紙と本身とを両方とも印刷する際に実行する必要がある。その際にユーザは、表紙の用紙の給紙元として、表紙の用紙に印刷する際には印刷装置の給紙トレイを指定する必要があり、本身の用紙に印刷する際には製本装置の給紙トレイを指定する必要がある。つまり、ユーザは表紙の用紙の給紙元を場面に応じて使い分けて指定する必要があり、その判断と操作はユーザにとって負担となる。
【０００７】
本発明は前記事情に鑑みなされたもので、本発明の目的は、くるみ製本される表紙と本身とをそれぞれまとめて印刷する印刷パターンを実行する際に、印刷装置が有する給紙部の数や印刷装置で行う印刷の内容に応じて用紙の給紙元を適切に設定した印刷ジョブを生成することができる印刷制御装置と、この印刷制御装置と接続される印刷装置とを提供することにある。
【課題を解決するための手段】
【０００８】
上記目的を達成するために、本発明の第１の態様による印刷制御装置は、
表紙と本身の各用紙をくるみ製本して製本物とする製本装置に接続されて該製本装置と共に製本システムを構成する印刷装置が有する給紙部の情報を取得する給紙部情報取得部と、
前記取得した情報が、前記印刷装置が有する給紙部が複数であることを示す内容である場合は、前記製本物の画像の印刷要求に対する印刷設定として、前記本身の用紙の給紙元を前記印刷装置の複数の給紙部から選択した給紙部とし、前記表紙の用紙の給紙元を前記印刷装置の複数の給紙部のうち前記本身の用紙の給紙元以外の給紙部から選択した給紙部とする給紙設定を受け付けると共に、前記取得した情報が、前記印刷装置が有する給紙部が単一であることを示す内容である場合は、前記製本物の画像の印刷要求に対する印刷設定として、前記本身の用紙の給紙元を前記印刷装置の給紙部とし、前記表紙の用紙の給紙元を前記製本装置が有する給紙部とする給紙設定を受け付ける給紙設定受付部と、
前記製本物の画像の印刷要求に対する印刷設定として、前記印刷装置で行う印刷を前記表紙の用紙に対する印刷のみとする表紙別印刷とするか否かの印刷パターン設定を受け付ける印刷パターン設定受付部と、
前記受け付けた給紙設定及び前記受け付けた印刷パターン設定に対応する印刷設定のデータと前記印刷要求に係る前記製本物の画像のデータとを含む印刷ジョブを生成して前記印刷装置に出力する印刷ジョブ生成部と、
を備える印刷制御装置であって、
前記印刷ジョブ生成部は、前記受け付けた印刷パターン設定が前記表紙別印刷であり、かつ、前記取得した情報が前記印刷装置が有する給紙部が単一であることを示す内容である場合に、前記表紙の用紙の給紙元を前記印刷装置の給紙部に変更した前記印刷ジョブを生成する、
ことを特徴とする。
また、上記目的を達成するために、本発明の第８の態様による印刷制御装置は、
表紙と本身の各用紙をくるみ製本して製本物とする製本装置に接続されて該製本装置と共に製本システムを構成する印刷装置が有する給紙部の情報を取得する給紙部情報取得部と、
前記取得した情報が、前記印刷装置の給紙部が単一である場合は、前記製本物の印刷設定として、前記本身の用紙の給紙元を前記印刷装置の給紙部とし、前記表紙の用紙の給紙元を前記製本装置の給紙部とする給紙設定を受け付ける給紙設定受付部と、
前記製本物の画像の印刷要求に対する印刷設定として、前記印刷装置で行う印刷を前記表紙の用紙に対する印刷のみとする表紙別印刷とするか否かの印刷パターン設定が前記表紙別印刷であり、かつ、前記取得した情報が前記印刷装置の給紙部が単一である場合に、前記表紙の用紙の給紙元を前記印刷装置の給紙部に変更した印刷ジョブを生成する印刷ジョブ生成部を備える、
ことを特徴とする。
【０００９】
なお、第１の参考例の態様による印刷制御装置のように、本発明の第１の態様による印刷制御装置において、前記印刷パターン設定は、前記製本装置の給紙部から給紙される前記表紙の用紙と該製本装置においてくるみ製本する前記本身の用紙に対する印刷のみを前記印刷装置で行う本身印刷を含んでいる構成としてもよい。
【００１０】
さらに、本発明の第２の態様による印刷制御装置は、本発明の第１の態様による印刷制御装置や、第１の参考例の態様による印刷制御装置において、前記印刷ジョブ生成部は、前記印刷パターン設定が、前記表紙の画像が前記表紙の用紙の裏面のみに存在する前記製本物の画像の印刷要求に対するものであり、かつ、前記受け付けた印刷パターン設定が、前記印刷装置で行う印刷として前記表紙の用紙に対する印刷を含む印刷パターン設定である場合に、前記発生した印刷要求の画像のデータとして、前記印刷装置により前記表紙の用紙の表面に前記表紙の画像が印刷されるデータを含む印刷ジョブを生成して前記印刷装置に出力することを特徴とする。
【００１１】
また、本発明の第３の態様による印刷制御装置は、本発明の第２の態様の態様による印刷制御装置において、前記印刷ジョブ生成部は、前記印刷パターン設定が、前記表紙の画像が本単位で内容の異なるバリアブル画像の印刷要求に対するものである場合に、前記発生した印刷要求の画像のデータとして、前記印刷装置により前記表紙の用紙の表面に前記バリアブル画像が本の順番と逆順に印刷されるデータを含む印刷ジョブを生成して前記印刷装置に出力することを特徴とする。
【００１２】
なお、第２の参考例の態様による印刷制御装置のように、本発明の第１、第２又は第３の態様による印刷制御装置や、第１の参考例の態様による印刷制御装置において、前記給紙部情報取得部が取得する前記情報は、前記給紙部の最大用紙収容枚数の情報を含んでおり、前記印刷パターン設定は、前記製本装置でくるみ製本する前記表紙及び本身の両用紙に対する印刷を前記印刷装置で行う通常印刷を含んでおり、前記印刷ジョブ生成部は、前記受け付けた印刷パターン設定が前記通常印刷であり、かつ、前記取得した情報が、前記印刷装置が有する給紙部が複数であることを示す内容である場合、前記表紙の給紙部の最大用紙収容枚数に対する前記本身の給紙部の最大用紙収容枚数の割合が所定のしきい値よりも高いときに、前記通常印刷に対応する印刷設定のデータと前記発生した印刷要求の画像のデータとを含む印刷ジョブを生成して前記印刷装置に出力し、前記割合が前記しきい値よりも高くないときは、前記表紙別印刷に対応する印刷設定のデータと前記発生した印刷要求の画像のデータとを含む印刷ジョブを生成して前記印刷装置に出力する構成としてもよい。
【００１３】
また、上記目的を達成するために、本発明の第４の態様による印刷装置は、
表紙と本身の各用紙をくるみ製本して製本物とする製本装置に接続され、請求項１、２又は３記載の印刷制御装置の印刷ジョブ生成部が出力した印刷ジョブの印刷を行う印刷装置であって、
前記本身の用紙の給紙元を前記印刷装置の複数の給紙部から選択した給紙部とし、前記表紙の用紙の給紙元を前記印刷装置の複数の給紙部のうち前記本身の用紙の給紙元以外の給紙部から選択した給紙部として、製本物単位で給紙元を切り替えて前記表紙及び本身の両用紙に対する印刷を行う通常印刷中に、前記本身の用紙に対する印刷に中断が発生した場合に、前記通常印刷から前記表紙の用紙に対する印刷のみを行う表紙別印刷に切り替えて印刷を継続させる中断時制御部を備える、
ことを特徴とする。
【００１４】
なお、請求項１、２又は３記載の印刷制御装置を、第１又は第２の参考例の態様による印刷制御装置に変えてもよい。
【００１５】
さらに、本発明の第５の態様による印刷装置は、本発明の第４の態様による印刷装置において、前記中断時制御部は、前記表紙別印刷の終了後に、該表紙別印刷における前記表紙の用紙の給紙元を前記本身の用紙の給紙元として選択可能とすることを特徴とする。
給紙ローラ１２によって用紙Ｐが送り出される。
【００１６】
また、本発明の第６の態様による印刷制御装置は、本発明の第４又は第５の態様による印刷装置において、前記中断時制御部は、前記中断が発生した原因の解消後の所定の時点で前記表紙別印刷を終了し、該表紙別印刷中に画像が印刷された前記表紙の用紙の枚数に対応する製本部数分、前記本身の用紙に画像を印刷する本身印刷を行って、該製本部数分の前記本身の用紙に画像を印刷させると共に、前記表紙別印刷中に画像が印刷された前記製本部数分の表紙の用紙が供給される前記製本装置に、前記本身印刷により画像が印刷された前記製本部数分の前記本身の用紙を供給させた後、前記本身印刷から前記通常印刷に切り替えて前記表紙及び本身の両用紙に対する印刷を行うことを特徴とする。
【００１７】
なお、第３の参考例の態様による印刷制御装置のように、本発明の第４、第５又は第６の態様による印刷装置において、前記中断時制御部は、前記給紙部における前記本身の用紙の用紙切れにより前記中断が発生した場合、前記中断の発生までに前記通常印刷において印刷された前記本身の用紙の印刷枚数を前記印刷ジョブに基づいた前記本身の用紙の印刷枚数から差し引いた残印刷枚数が、前記本身の用紙の給紙元の給紙部の最大用紙収容枚数を上回るときに、前記表紙別印刷を行った後、最大用紙収容枚数が前記残印刷枚数を上回る前記印刷装置の他の給紙部に前記本身の用紙の給紙元を変更して、前記本身の用紙に画像を印刷する本身印刷を行う構成としてもよい。
【００１８】
さらに、本発明の第７の態様による印刷装置は、本発明の第６の態様による印刷装置や、第３の参考例の態様による印刷装置において、前記表紙別印刷による印刷済みの前記表紙の用紙が排出される表紙排出部をさらに備えており、該表紙排出部は、前記本身印刷による印刷後の本身の用紙が前記製本装置に給紙される際に、前記表紙別印刷により画像が印刷された前記表紙の用紙を、前記印刷後の本身の用紙と同期して前記製本装置に給紙する給紙元となることを特徴とする。
【発明の効果】
【００１９】
本発明によれば、くるみ製本される表紙と本身とをそれぞれまとめて印刷する印刷パターンを実行する際に、印刷装置が有する給紙部の数や印刷装置で行う印刷の内容に応じて用紙の給紙元を適切に設定した印刷ジョブを生成することができる。
【００２０】
即ち、本発明の第１及び第８の態様による印刷制御装置によれば、製本装置でくるみ製本される表紙と本身の用紙に関する印刷ジョブが発生したときに、複数の給紙部を有する印刷装置が表紙と本身の用紙に対する印刷を実行可能であれば、表紙と本身の用紙に対する印刷を同時並行に行えるものとして、表紙と本身の各用紙を印刷装置の互いに異なる給紙部から給紙する給紙設定を受け付ける。
【００２１】
一方、製本装置でくるみ製本される表紙と本身の用紙に関する印刷ジョブが発生したときに、単一の給紙部しか有していない印刷装置が表紙と本身の用紙に対する印刷を実行可能であれば、表紙と本身の用紙に対する印刷を同時並行に行えないものとして、表紙の用紙を製本装置の給紙部から給紙し本身の用紙を印刷装置の給紙部から給紙する給紙設定を受け付ける。
【００２２】
そして、製本物の画像の印刷要求に対する設定として、印刷装置で行う印刷を表紙の用紙に対する印刷のみの表紙別印刷とする印刷パターン設定が受け付けられた場合、給紙設定として、表紙の用紙を製本装置の給紙部から給紙し本身の用紙を印刷装置の給紙部から給紙する給紙設定が受け付けられていると、表紙の用紙の給紙元を製本装置の給紙部から印刷装置の給紙部に変更した印刷設定のデータを含む印刷ジョブが生成される。
【００２３】
このため、製本物の画像の印刷要求が発生したことで、単一の給紙部のみを有する印刷装置で表紙の用紙に対する印刷を実行する必要がある場合に、本身の用紙の給紙元とするので表紙の用紙の給紙元としては受け付けることができない印刷用紙の給紙部を、表紙の用紙に対する印刷のみの表紙別印刷を印刷装置で行う際の表紙の用紙の給紙元として、例外的に設定することができる。
【００２４】
したがって、くるみ製本される表紙と本身の各用紙を同時並行に給紙して一つの本単位で交互に印刷できる印刷装置が印刷ジョブの発生時点で存在しない場合に、複数の給紙部を有していない印刷装置であっても、単一の給紙部を時間差を設けて表紙の用紙の給紙部と本身の用紙の給紙部とに使用し、製本装置によるくるみ製本に供給することができる。
【００２５】
これにより、くるみ製本される表紙と本身とをそれぞれまとめて印刷する印刷パターンを実行する際に、印刷装置が有する給紙部の数や印刷装置で行う印刷の内容に応じて用紙の給紙元を適切に設定した印刷ジョブを生成することができる。
【００２６】
しかも、製本物の印刷要求を発生させる際にユーザは、給紙設定及び印刷パターン設定の操作を行えばよく、表紙の用紙と本身の用紙とのどちらの印刷を行うかを意識して印刷に関する設定を行わなくてすむので、印刷設定に関するユーザの負担を軽減することができる。
【００２７】
なお、本発明の第１の態様による印刷制御装置において、印刷設定の印刷パターン設定を表紙別印刷とした印刷ジョブを生成して印刷装置に出力した場合には、その後、第１の参考例の態様による印刷制御装置のように、印刷パターン設定を本身印刷とした印刷ジョブを生成して印刷装置に出力すればよい。
【００２８】
これにより、表紙の用紙に対する画像の印刷を先に済ませて製本装置の給紙部に移しておき、その後、印刷装置の給紙部から給紙した本身の用紙に画像を印刷して製本装置に供給することで、給紙部が単一である印刷装置を利用して製本装置でくるみ製本させることができる。
【００２９】
また、本発明の第１の態様による印刷制御装置や第１の参考例の態様による印刷制御装置において、表紙の用紙の裏面のみに画像を印刷する場合は通常、印刷装置内で用紙を印刷せずに一度カラ搬送して用紙の裏表を逆転させた上で、その用紙を再度搬送する。このため、用紙に対する画像の印刷は片面だけであるのに用紙の搬送は両面印刷の場合と同じ手順を踏む必要がある。
【００３０】
そこで、本発明の第２の態様による印刷制御装置のように、印刷装置に出力する印刷ジョブを、印刷装置において一度目の搬送中に表紙の用紙の表面に画像が印刷され、用紙を裏返して画像を印刷した面を裏面として取り扱えるようにすれば、片面印刷であるのに両面印刷の場合のように用紙の表裏を逆転させるカラ搬送を行う必要をなくし、片面印刷の手順で効率よく画像を印刷させることができる。
【００３１】
但し、本発明の第２の態様による印刷制御装置において、表紙の用紙に印刷する画像が、例えばシリアルナンバー等の本単位で内容が異なるバリアブル画像であると、印刷後に排紙された表紙の用紙の積載順が、最後に印刷された表紙の用紙が一番上で最初に印刷された表紙の用紙が一番下となる降順となる。このため、積載された表紙の用紙を取り出しやすい一番上から製本装置に対して給紙すると、表紙の用紙の給紙順が、本の内容毎に異なるバリアブル画像の内容（印刷）順とは逆の順番になってしまう。
【００３２】
そこで、本発明の第３の態様による印刷制御装置のように、本の内容に対応するバリアブル画像の内容順とは逆の順番で表紙の用紙の表面にバリアブル画像が印刷されるような印刷ジョブを、印刷装置に出力する。これにより、印刷装置から印刷後に排紙された表紙の用紙の積載順は、最後に印刷された、一つ目の本の内容に対応するバリアブル画像が表面に印刷された表紙の用紙が一番上で、最初に印刷された、最後の本の内容に対応するバリアブル画像が表面に印刷された表紙の用紙が一番下となる。
【００３３】
このため、裏面にバリアブル画像が印刷された表紙の用紙を印刷装置により得る際に、本の内容毎に異なるバリアブル画像の内容（印刷）順番通りに印刷後の表紙の用紙が積載されるような印刷動作を片面印刷と同じ１回の搬送回数で実現できるように、印刷装置を効率よく動作させることができる。
【００３４】
さらに、第２の参考例の態様による印刷制御装置によれば、本発明の第１、第２又は第３の態様による印刷制御装置において、複数の給紙部を有している印刷装置が、くるみ製本され表紙と本身の各用紙を印刷可能な状態である場合であっても、一部の場合は、印刷装置に通常印刷でなく表紙別印刷を行わせる印刷ジョブを出力する。
【００３５】
具体的には、本身の用紙の給紙元とする給紙部の最大用紙収容枚数が、表紙の用紙の給紙元とする給紙部の最大用紙収容枚数を基準として相対的に多い場合は、印刷中に本身の用紙の給紙部が用紙切れになる可能性が低いものとして、印刷装置に通常印刷を行わせる印刷ジョブを出力する。
【００３６】
一方、本身の用紙の給紙元とする給紙部の最大用紙収容枚数が、表紙の用紙の給紙元とする給紙部の最大用紙収容枚数を基準として相対的に少ない場合は、印刷中に本身の用紙の給紙部が用紙切れになる可能性が高いものとして、印刷装置に表紙別印刷を行わせる印刷ジョブを出力する。
【００３７】
したがって、くるみ製本される表紙と本身の各用紙を同時並行に給紙して一つの本単位で交互に印刷できる印刷装置が印刷ジョブの発生時点で存在しているものの、最大用紙収容枚数が少ない給紙部を本身の給紙部として使用する場合は、印刷装置が印刷装置ではなく表紙別印刷によって表紙の用紙に画像を印刷する。
【００３８】
このため、本身の用紙の給紙部が用紙切れとなる可能性がある場合に、本身の用紙の用紙切れによって印刷動作が中断する通常印刷ではなく、本身の用紙が用紙切れしても表紙の用紙に対する表紙印刷を継続できる表紙別印刷で印刷装置に表紙の用紙を印刷させて、製本装置によるくるみ製本に表紙と本身の各用紙を効率的に供給することができる。
【００３９】
また、本発明の第４の態様による印刷装置によれば、本発明の第１乃至第３の態様による印刷制御装置からの印刷ジョブにより通常印刷を行っている印刷装置において、本身の用紙に対する印刷に中断が発生すると、印刷装置が通常印刷から表紙別印刷に切り替わって、本身の用紙に対する印刷の中断後にも、表紙の用紙に対する印刷が継続して行われる。
【００４０】
このため、本身の用紙の印刷が中断した後も印刷装置の印刷動作を中断させることなく、本身の用紙に対する印刷が行えなくても実行できる表紙の用紙に対する印刷を印刷装置に継続させて、印刷装置による印刷動作を効率的に継続させることができる。
【００４１】
なお、本発明の第４の態様による印刷装置において、請求項１、２又は３記載の印刷制御装置を第１及び第２の参考例の態様による印刷制御装置に変えた場合にも、同様の効果を得ることができる。
【００４２】
さらに、本発明の第５の態様による印刷装置によれば、本発明の第４の態様による印刷装置において、通常印刷中に本身の用紙に対する印刷が用紙切れにより中断した場合、表紙別印刷による表紙の用紙に対する印刷を継続してそれが終了すると、表紙の用紙の給紙元として用いていた給紙部は、最早、表紙の用紙の給紙元として用いる必要がなくなる。
【００４３】
そこで、本身の用紙の用紙切れにより通常印刷から切り替えた表紙別印刷の終了後に、表紙別印刷の際に表紙の用紙の給紙元とした給紙部を本身の用紙の給紙元として選択可能とすることで、本身の用紙の用紙切れが解消した後の本身の用紙に対する印刷を、給紙元の選択肢を拡げて用紙切れを起こしにくい環境の下で行わせることができる。
【００４４】
さらに、本発明の第６の態様による印刷制御装置によれば、本発明の第４又は第５の態様による印刷装置において、本身の用紙に対する印刷の中断原因が解消した後の所定の時点になると、表紙別印刷中に画像を印刷した表紙の用紙の枚数に対応する製本部数分だけ本身印刷により本身の用紙に印刷を行った後、本身印刷から通常印刷に切り替えて表紙と本身の各用紙に対する印刷が再開される。
【００４５】
このため、本身の用紙に対する印刷に中断が発生した場合に、中断原因が解消して所定の時点となるまでの期間に印刷装置の印刷動作が完全に停止してしまうのを回避する一時的な措置として、表紙別印刷を行って表紙の用紙に対する印刷を継続し、中断原因が解消して所定の時点となったら、表紙別印刷中に印刷した表紙の用紙に対応する本身の用紙に対する印刷を本身印刷により行った後に、早急に元の通常印刷を再開することができる。
【００４６】
なお、第３の参考例の態様による印刷制御装置によれば、本発明の第４、第５又は第６の態様による印刷装置において、通常印刷中に本身の用紙に対する印刷が用紙切れにより中断した場合、本身印刷による本身の用紙に対する印刷は、一部の場合、本身の用紙の給紙元を変更してから実行される。
【００４７】
具体的には、本身の用紙に対する印刷が中断した時点で印刷がまだ済んでいない本身の用紙の残印刷枚数が、本身の用紙の給紙元とする給紙部の最大用紙収容枚数以下である場合は、本身の用紙に対する印刷の中断原因が解消して所定の時点となった後に本身印刷を行った際に、本身の用紙の給紙部が印刷中に用紙切れになる可能性が低いものとして、中断時制御部は本身の用紙の給紙元を変更せずに本身印刷を実行させる。
【００４８】
一方、本身の用紙の残印刷枚数が、本身の用紙の給紙元とする給紙部の最大用紙収容枚数を上回る場合は、本身の用紙に対する印刷の中断原因が解消して所定の時点となった後に本身印刷を行った際に、本身の用紙の給紙部が印刷中に用紙切れになる可能性が高いものとして、中断時制御部は本身の用紙の給紙元を変更して本身印刷を実行させる。
【００４９】
このため、本身の用紙の給紙部が用紙切れとなって印刷装置による印刷が通常印刷から表紙別印刷に切り替わった場合に、本身の用紙の用紙切れを解消しても本身印刷中に再び用紙切れする可能性が高そうならば、表紙別印刷から本身印刷に切り替わった後の本身の用紙の給紙元を、より最大用紙収容枚数が大きい他の給紙部に変更して、本身印刷中の用紙切れによる印刷動作の中断発生を効率的に回避することができる。
【００５０】
また、本発明の第７の態様による印刷装置によれば、本発明の第６の態様による印刷装置や第３の参考例の態様による印刷装置において、表紙別印刷で印刷された表紙の用紙が表紙排出部に排出されると、表紙別印刷から切り替わった本身印刷の際に、印刷後の本身の用紙が製本装置に給紙されるのと同期して、表紙排出部から印刷後の表紙の用紙が製本装置に給紙される。
【００５１】
このため、表紙別印刷により印刷された表紙の用紙を本身印刷の際にオフラインで製本装置の給紙部等に移載しなくても、インラインのまま印刷済みの表紙の用紙を印刷済みの本身の用紙と同期して製本装置に給紙することができる。
【図面の簡単な説明】
【００５２】
【図１】本発明の一実施形態に係る印刷制御装置及び印刷装置が用いられる印刷システムの全体構成を示す概念図である。
【図２】図１の印刷装置を製本装置と併用して構成される製本システムの概略構成を示す説明図である。
【図３】図２の製本装置でくるみ製本された印刷物の一例を示す説明図である。
【図４】図２の製本装置の制御系の構成を示すブロック図である。
【図５】図２のユーザ端末の構成を示すブロック図である。
【図６】図２の印刷装置における用紙の通常の搬送経路と画像を印刷する用紙の面との関係を示す説明図である。
【図７】図２の印刷装置の印刷制御部の構成を示すブロック図である。
【図８】図２の印刷システムにおいてくるみ製本印刷を行う際にユーザ端末で行われる処理の手順を示すフローチャートである。
【図９】図５のモニタに表示される画像割当画面の説明図である。
【図１０】図５のモニタに表示される画像割当画面の説明図である。
【図１１】図５のモニタに表示される画像割当画面の説明図である。
【図１２】図５のモニタに表示されるくるみ製本の印刷条件設定画面の説明図である。
【図１３】図５のモニタに表示される印刷パターンの変更確認画面の説明図である。
【図１４】図５のモニタに表示される印刷パターン変更画面の説明図である。
【図１５】図２の印刷システムにおいてくるみ製本印刷を行う際に印刷装置で行われる処理の手順を示すフローチャートである。
【図１６】図２の印刷システムにおいてくるみ製本印刷を行う際に印刷装置で行われる処理の手順を示すフローチャートである。
【図１７】図２の印刷システムにおいてくるみ製本印刷を行う際に印刷装置で行われる処理の手順を示すフローチャートである。
【図１８】図７のディスプレイに表示される表紙用紙の補充要求画面の説明図である。
【図１９】図７のディスプレイに表示される本身用紙の補充要求画面の説明図である。
【図２０】図７のディスプレイに表示される表紙用紙の移動要求画面の説明図である。
【発明を実施するための形態】
【００５３】
以下、本発明の実施形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００５４】
また、以下に示す実施形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００５５】
以下、本発明に係る画像形成装置の実施形態について図面を参照しつつ、詳細に説明する。図１は本発明の一実施形態に係る印刷制御装置及び印刷装置が用いられる印刷システムの全体構成を示す概念図である。本実施形態における印刷システムは、図１に示すように、通信ネットワークＮに対して、複数のユーザ端末１（１ａ〜１ｃ、請求項中の印刷制御装置に相当）及び印刷装置２（２ａ〜２ｃ）と、プリンタサーバＳとが接続されている。
【００５６】
ユーザ端末１（１ａ〜１ｃ）は、ＣＰＵを備えた演算処理装置であり、各種アプリケーションソフトにより印刷用のデータを作成し、そのデータの印刷処理の実行を指示する機能を備えている。ユーザ端末１（１ａ〜１ｃ）の後述する本体１００（図５参照）は、例えば、パーソナルコンピュータ等の汎用コンピュータにより実現することができる。ユーザ端末１（１ａ〜１ｃ）の詳細については後述する。
【００５７】
通信ネットワークＮは、通信プロトコルＴＣＰ／ＩＰを用いて種々の通信回線（ＦＴＴＨ等の光回線、ＡＤＳＬ回線等の公衆回線、専用回線、無線通信網）を相互に接続して構築される分散型のＩＰ網である。このＩＰ網には、１０ＢＡＳＥ−Ｔや１００ＢＡＳＥ−ＴＸ等によるイントラネット（企業内ネットワーク）や家庭内ネットワーク等のＬＡＮも含まれる。
【００５８】
印刷装置２（２ａ〜２ｃ）は、画像データに応じて、印刷用紙に画像を形成するプリンタ装置である。このプリンタ装置（印刷装置２（２ａ〜２ｃ））は、ユーザ操作に基づく印刷指示に従って、通信ネットワークＮを通じてユーザ端末１から受信したジョブデータ（印刷データ）を印刷するネットワークプリンタとしての機能を有する。印刷装置２（２ａ〜２ｃ）の詳細については後述する。
【００５９】
プリンタサーバＳは、ユーザ端末１（１ａ〜１ｃ）からスプールされた印刷ジョブを一時ストックし、空き状態の印刷装置２（２ａ〜２ｃ）に転送する中継処理機能を有している。
【００６０】
各印刷装置２ａ〜２ｃはそれぞれ、後述する製本装置３と併用して製本システムＡ（いずれも図２参照）を構成する。
【００６１】
図２は印刷装置２（２ａ〜２ｃ）を製本装置３と併用して構成される製本システムＡの概略構成を示す説明図である。以下の説明において、ユーザが位置する図２の紙面表方向を前方とする。また、ユーザから視て上下左右を上下左右方向とする。
【００６２】
本実施形態に係る製本システムＡは、印刷物から冊子を作製するシステムである。製本システムＡは、印刷装置２と、製本装置３とを備えている。
【００６３】
印刷装置２は、製本装置３でくるみ製本により作成する冊子を構成する表紙用紙Ｐ１及び本身用紙Ｐ２に印刷を行うものである。
【００６４】
印刷装置２は、印刷装置筐体４（以下、適宜に筐体４という）を備えている。筐体４内には、印刷部５が設けられている。印刷部５は、表紙用紙Ｐ１及び本身用紙Ｐ２に印刷を行うものである。印刷部５は、シアン（Ｃ）、ブラック（Ｋ）、マゼンタ（Ｍ）、イエロー（Ｙ）の各色のインクをそれぞれ吐出するライン型のインクジェットヘッド６Ｃ，６Ｋ，６Ｍ，６Ｙを備えている。
【００６５】
また、筐体４内には、表紙用紙Ｐ１及び本身用紙Ｐ２を搬送するためのループ状の印刷搬送路７が印刷部５を囲むように設けられている。印刷搬送路７に沿った位置には、表紙用紙Ｐ１及び本身用紙Ｐ２を搬送する複数のローラ（図示せず）が配置されている。
【００６６】
筐体４の左側部にはメイン給紙部８が設けられている。メイン給紙部８は、どの印刷装置２（２ａ〜２ｃ）にも標準装備されている。
【００６７】
メイン給紙部８は、用紙が積載される給紙トレイ９と、給紙トレイ９に積載された用紙を印刷部５側へ送り出す給紙ローラ１０とを備えている。また、メイン給紙部８は、給紙トレイ９と印刷搬送路７との間に設けられた給紙搬送路１１と、給紙搬送路１１に沿って配置され、用紙を印刷部５側へ搬送する複数のローラ（図示せず）とを備えている。
【００６８】
筐体４内における印刷部５の下側にはオプション給紙部１２が設けられている。オプション給紙部１２はオプション装備品であり、通信ネットワークＮ上には、オプション給紙部１２を有する印刷装置２（２ａ〜２ｃ）とオプション給紙部１２を有していない印刷装置２（２ａ〜２ｃ）とが併存する場合がある。
【００６９】
オプション給紙部１２は、用紙が収容される複数の給紙トレイ１３と、各給紙トレイ１３に収容された用紙を印刷部５側へそれぞれ送り出す給紙ローラ１４とを備えている。また、オプション給紙部１２は、各給紙トレイ１３と印刷搬送路７との間に設けられた給紙搬送路１５と、給紙搬送路１５に沿って配置され、用紙を印刷部５側へ搬送する複数のローラ（図示せず）とを備えている。
【００７０】
なお、オプション給紙部１２を装備した印刷装置２（２ａ〜２ｃ）では、メイン給紙部８が、表紙用紙Ｐ１を印刷部５側（印刷搬送路７側）へ給紙する給紙部として使用され、オプション給紙部１２が、本身用紙Ｐ２を印刷部５側（印刷搬送路７側）へ給紙する給紙部として使用される。図２は、印刷装置２がオプション給紙部１２を装備している場合の例を示している。
【００７１】
一方、オプション給紙部１２を装備していない印刷装置２（２ａ〜２ｃ）では、メイン給紙部８が、積載する用紙を表紙用紙Ｐ１と本身用紙Ｐ２との間で入れ替えて、表紙用紙Ｐ１を印刷部５側（印刷搬送路７側）へ給紙する給紙部と本身用紙Ｐ２を印刷部５側（印刷搬送路７側）へ給紙する給紙部との両方に使用される。
【００７２】
印刷搬送路７の左側上部には、表紙用紙Ｐ１及び本身用紙Ｐ２を一時的に収容するスイッチバック部１６が設けられている。また、筐体４内の左部からスイッチバック部１６内にかけて、スイッチバック搬送路１７が設けられている。スイッチバック搬送路１７は、両面印刷時において、表紙用紙Ｐ１及び本身用紙Ｐ２を表裏反転させて印刷部５側へ搬送するためのものである。
【００７３】
スイッチバック搬送路１７の基端側（右端側）は、フリッパ（図示せず）により印刷搬送路７に接続、遮断可能になっている。スイッチバック部１６の開口部付近のスイッチバック搬送路１７に沿った位置には、表紙用紙Ｐ１及び本身用紙Ｐ２のスイッチバック部１６への搬入及び搬出を行うローラ（図示せず）が配置されている。
【００７４】
スイッチバック部１６の上面には、印刷後の表紙用紙Ｐ１や本身用紙Ｐ２が必要に応じて排出される排出部１８が設けられている。排出部１８は、スイッチバック搬送路１７から分岐して構成されており、不図示のフリッパの切り替えにより、表紙用紙Ｐ１や本身用紙Ｐ２の搬送先がスイッチバック搬送路１７と排出部１８との間で切り替えられる。排出部１８の近傍には、表紙用紙Ｐ１及び本身用紙Ｐ２の排出部１８への排出を行うローラ（図示せず）が配置されている。
【００７５】
なお、排出部１８には、表紙用紙Ｐ１や本身用紙Ｐ２が、直近に印刷部５を通過した際に画像が印刷された面を下に向けた所謂フェイスダウン方式で排紙される。
【００７６】
筐体４内の右側部には、印刷搬送路７から送り出された表紙用紙Ｐ１及び本身用紙Ｐ２を製本装置３側（右方向）へ搬送するための連絡搬送路１９が設けられている。連絡搬送路１９の基端側（左端側）は、フリッパ（図示せず）により印刷搬送路７に接続、遮断可能になっている。連絡搬送路１９に沿った位置には、表紙用紙Ｐ１及び本身用紙Ｐ２を搬送する複数のローラ（図示せず）が配置されている。
【００７７】
印刷装置２は、印刷制御部２０を備えている。印刷制御部２０は、ＣＰＵ、ＲＡＭ、ＲＯＭ等を備えて構成される。印刷制御部２０は、印刷装置２の各部の動作を制御するものである。印刷制御部２０の詳細については後述する。
【００７８】
製本装置３は、印刷装置２で印刷された表紙用紙Ｐ１及び本身用紙Ｐ２に製本処理を施して冊子を作製するものである。
【００７９】
ここで、図３を参照して、製本装置３によってくるみ製本された冊子について説明する。図３は製本装置３でくるみ製本された印刷物の一例を示す説明図である。図３に示す例によるくるみ製本の冊子Ｂは、１つの冊子のページ分の本身用紙Ｐ２を、１枚の表紙用紙Ｐ１でくるみ製本して構成されている。
【００８０】
表紙用紙Ｐ１は、表表紙面、裏表紙面及び背表紙面からなる表印刷面Ｐ１ａ（請求項中の表紙の用紙の表面に相当）と、表表紙面の裏面及び裏表紙面の裏面とのり付け部分とからなる裏印刷面Ｐ１ｂ（請求項中の表紙の用紙の裏面に相当）とを有している。本身用紙Ｐ２は、表面及び裏面の印刷面を有している。
【００８１】
製本装置３は、図２に示すように、製本装置筐体３１（以下、適宜に筐体３１という）を備えている。筐体３１内には、印刷装置２の連絡搬送路１９から送り出された印刷済みの表紙用紙Ｐ１及び本身用紙Ｐ２を右方向へ搬送するための導入搬送路３２が設けられている。導入搬送路３２の基端部（左端部）は、連絡搬送路１９の先端部（右端部）に接続されている。また、導入搬送路３２に沿った位置には、表紙用紙Ｐ１及び本身用紙Ｐ２を搬送する複数のローラ（図示せず）が配置されている。
【００８２】
筐体３１内の右側上部には、印刷済みの本身用紙Ｐ２を整合して用紙束ＰＳを形成する整合部３３が設けられている。整合部３３は、複数の本身用紙Ｐ２を積載する整合トレイ３４を備えている。整合トレイ３４は、例えば水平な軸心周りに回転することによって用紙束ＰＳを送り出し可能になっている。
【００８３】
また、筐体３１内の上部には、導入搬送路３２から送り出された印刷済みの表紙用紙Ｐ１及び本身用紙Ｐ２を整合部３３側へ搬送等するための上部製本搬送路３５が設けられている。上部製本搬送路３５の基端部（左端部）は、フリッパ（図示せず）により導入搬送路３２の先端部（右端部）に接続、遮断可能になっている。
【００８４】
筐体３１の上部中央には、印刷済みの表紙用紙Ｐ１を一時的に待機させるストックトレイ３６が設けられている。ストックトレイ３６の基端部（左端部）は、フリッパ（図示せず）により上部製本搬送路３５に接続、遮断可能になっている。また、ストックトレイ３６の適宜位置には、印刷済みの表紙用紙Ｐ１をストックトレイ３６から上部製本搬送路３５側へ送り出すローラ（図示せず）が設けられている。
【００８５】
ストックトレイ３６には、表印刷面Ｐ１ａ（くるみ製本後に冊子Ｂの外側に露出する面）を上向きにして表紙用紙Ｐ１がストックされる。ストックされた表紙用紙Ｐ１は上述した不図示のローラにより、一番上から１枚ずつ上部製本搬送路３５に取り込まれて製本装置３に給紙される。
【００８６】
上部製本搬送路３５に沿った位置には、表紙用紙Ｐ１及び本身用紙Ｐ２を搬送する複数のローラ（図示せず）が配置されている。このうち、上部製本搬送路３５に沿ってストックトレイ３６の左側に位置する複数のローラは、印刷済みの表紙用紙Ｐ１の搬送方向を反転させて搬送できるようになっている。
【００８７】
筐体３１内におけるストックトレイ３６の左側には、断裁部３７が設けられている。断裁部３７は、印刷済みの表紙用紙Ｐ１を用紙束ＰＳの厚さに応じた寸法になるように断裁する。断裁部３７は、上部製本搬送路３５を間にして表紙用紙Ｐ１を挟むように断裁するカッタ３８を備えている。
【００８８】
筐体３１内には、整合トレイ３４（整合部３３）から送り出された用紙束ＰＳをクランプ（挟持）して移動可能なクランプ部３９が設けられている。クランプ部３９には、用紙束ＰＳの厚さを検出する用紙束厚さセンサ（図示せず）が設けられている。
【００８９】
筐体３１内における整合トレイ３４の左下側には、用紙束ＰＳの背面（下面）にホットメルト接着剤Ｇを塗布する接着剤塗布部４０が設けられている。接着剤塗布部４０は、ホットメルト接着剤Ｇを収容する接着剤収容部４１を備えている。接着剤収容部４１内には、用紙束ＰＳにホットメルト接着剤Ｇを塗布する塗布ローラ４２が設けられている。
【００９０】
接着剤塗布部４０の左側には、成形部４３が設けられている。成形部４３は、一対の背折りプレート４４と、一対の背折りプレート４４の下側に設けられた突き当てプレート４５とを備えている。一対の背折りプレート４４は、互いに接近、離反するように、突き当てプレート４５上で左右方向に移動可能になっている。突き当てプレート４５は、左右方向に移動可能になっている。
【００９１】
ホットメルト接着剤Ｇが塗布済みの用紙束ＰＳの背面（下面）が表紙用紙Ｐ１を介して突き当てプレート４５に当接した状態で、左右から一対の背折りプレート４４が表紙用紙Ｐ１を介して用紙束ＰＳを押圧することで、表紙用紙Ｐ１が折り曲げられるようになっている。これにより、冊子Ｂが成形される。
【００９２】
筐体３１内における上部製本搬送路３５の下側には、上部製本搬送路３５から送り出された印刷済みの表紙用紙Ｐ１を成形部４３へ搬送するための下部製本搬送路４６が設けられている。下部製本搬送路４６の基端部（左端部）は、フリッパ（図示せず）により上部製本搬送路３５の基端部（左端部）に接続、遮断可能である。下部製本搬送路４６に沿った位置には、表紙用紙Ｐ１を成形部４３側へ搬送する複数のローラ（図示せず）が配置されている。
【００９３】
導入搬送路３２、上部製本搬送路３５、下部製本搬送路４６、及びこれらに沿って配置されたローラ、表紙用紙Ｐ１をストックトレイ３６から上部製本搬送路３５側へ送り出すローラ等により、搬送部４７が構成される。
【００９４】
筐体３１内における成形部４３の下側には、成形部４３から落下する完成した冊子Ｂをガイドするガイド部材４８，４９が設けられている。ガイド部材４８，４９の下側には、成形部４３から落下した冊子Ｂを筐体３１外に排出する排出部５０が設けられている。
【００９５】
排出部５０は、成形部４３から落下した冊子Ｂを受け取り、冊子Ｂを搬送して左側から下方に落下させる上側コンベア５１を備えている。上側コンベア５１は、冊子を搬送する環状の上側搬送ベルト５２と、上側搬送ベルト５２が掛け渡される駆動ローラ５３及び従動ローラ５４を備える。
【００９６】
駆動ローラ５３が回転駆動されることにより、上側搬送ベルト５２が無端移動することで、上側搬送ベルト５２の上面上に載置された冊子Ｂが移動するようになっている。上側コンベア５１は、上側搬送ベルト５２上の冊子Ｂを左方向及び右方向の両方に移動させることができる。
【００９７】
上側コンベア５１の左端の上側には、上側コンベア５１により搬送される冊子Ｂを受け止めて冊子Ｂの姿勢を整えるストッパ５５が配置されている。ストッパ５５は、左側のガイド部材４８の下部の水平部から下方に突出して設置され、上側コンベア５１により搬送される冊子Ｂの通路を開閉可能に構成されている。ストッパ５５は、前後方向に細長い板状に形成されている。
【００９８】
また、排出部５０は、上側コンベア５１の下側に設けられた下側コンベア５６を備えている。下側コンベア５６は、上側コンベア５１から落下した冊子Ｂを受け取り、冊子Ｂを搬送して筐体３１外へ排出するものである。また、後述する排出トレイ６６が満杯になると、下側コンベア５６の後述する下側搬送ベルト５７の上面である積載面５７ａ上に複数の冊子Ｂが重ね積載される。
【００９９】
下側コンベア５６は、冊子を搬送する環状の下側搬送ベルト５７と、下側搬送ベルト５７が掛け渡される駆動ローラ５８及び従動ローラ５９を備える。駆動ローラ５８が回転駆動されることにより、下側搬送ベルト５７が無端移動することで、下側搬送ベルト５７の積載面５７ａ上の冊子Ｂが移動するようになっている。下側コンベア５６は、積載面５７ａ上の冊子Ｂを左方向及び右方向の両方に移動させることができる。下側コンベア５６の左端部、右端部には、それぞれ冊子Ｂを検出する第１センサ６０、第２センサ６１が配置されている。
【０１００】
図４は製本システムＡの制御系の構成を示すブロック図である。図４に示すように、排出部５０は、上側コンベア５１の駆動ローラ５３を回転駆動させる上側コンベアモータ６２と、下側コンベア５６の駆動ローラ５８を回転駆動させる下側コンベアモータ６３とを備えている。また、排出部５０は、下側コンベアモータ６３の回転軸の回転角度に応じたパルス信号を出力するエンコーダ６４を備えている。また、排出部５０は、ストッパを駆動させるストッパモータ６５を備えている。
【０１０１】
図２に示すように、排出部５０の下側コンベア５６の右側における筐体３１の外部には、下側コンベア５６から送り出された冊子Ｂを受け取る排出トレイ６６が設けられている。排出トレイ６６内の下部には、左端側が上下動可能な可動板６７が設けられている。可動板６７上に排出された冊子Ｂが積載され、冊子Ｂの重さにより可動板６７の左端側が下がるようになっている。排出トレイ６６が満杯になると、可動板６７の左端側が下限位置まで下がり、図示しない満杯検知スイッチがオンになるようになっている。
【０１０２】
製本装置３は、製本制御部６８を備えている。製本制御部６８は、ＣＰＵ、ＲＡＭ、ＲＯＭ等を備えて構成される。製本制御部６８は、製本装置３の各部の動作を制御するものである。
【０１０３】
次に、図５を参照して、ユーザ端末１（１ａ〜１ｃ）について説明する。図５はユーザ端末１（１ａ〜１ｃ）の構成を示すブロック図である。ユーザ端末１（１ａ〜１ｃ）は、本体１００と入力装置１４０及びモニタ１５０とを有している。本体１００はＣＰＵの他、ＲＡＭ、ＲＯＭ等の半導体メモリやハードディスクやＳＳＤ（Solid State Drive ）等のストレージデバイス等を備えている。
【０１０４】
そして、本体１００のハードディスク等に、ドキュメント作成プログラムがインストールされることによって、本体１００内に画像データ生成部１１０が構成される。また、本体１００のハードディスク等に、製本装置３のドライバプログラムを含む印刷装置２のプリンタドライバプログラムがインストールされることによって、本体１００内にプリンタドライバ１２０が構成されている。
【０１０５】
プリンタドライバ１２０は、画像データ取得部１２１、くるみ製本用画像データ生成部１２２、印刷設定部１２３、印刷装置情報取得部１２４、印刷設定変更受付部１２５、印刷設定変更報知部１２６、表紙印刷終了報知部１２７、及び印刷ジョブ生成部１２８を備えている。そして、ハードディスクにインストールされたくるみ製本情報生成プログラムがＣＰＵによって実行されることによって、本体１００に上記各部がそれぞれ構成される。
【０１０６】
以下、プリンタドライバ１２０の各部について詳細に説明する。
【０１０７】
画像データ取得部１２１は、画像データ生成部１１０において生成された表紙用紙Ｐ１に印刷される画像データと本身用紙Ｐ２に印刷される画像データとを取得する。具体的には、画像データ取得部１２１は、プリンタドライバ１２０によってモニタ１５０に表示された画像割当画面において、ユーザによる入力装置１４０のマウスやキーボードの操作により指定された表紙用紙Ｐ１及び本身用紙Ｐ２の画像データを画像データ生成部１１０から取得する。画像データ生成部１１０から画像データ取得部１２１に出力される画像データの形式は、ＰＤＦ（Portable Document Format）データである。
【０１０８】
くるみ製本用画像データ生成部１２２は、画像割当画面をモニタ１５０に表示させて、表紙用紙Ｐ１及び本身用紙Ｐ２に割り当てられる画像データのファイルの指定を受け付け、表紙用紙Ｐ１及び本身用紙Ｐ２の印刷領域にその受け付けた画像データを割り当てる。これと共に、くるみ製本用画像データ生成部１２２は、割り当てられた画像データに基づいて、表紙用紙Ｐ１の表印刷面Ｐ１ａと裏印刷面Ｐ１ｂに印刷される画像データと本身用紙Ｐ２の表面と裏面に印刷される画像データを生成する。
【０１０９】
印刷設定部１２３は、通信ネットワークＮ上の印刷装置２（２ａ〜２ｃ）について印刷設定を受け付ける。この印刷設定とは、印刷装置２（２ａ〜２ｃ）の給紙設定と印刷パターン設定とを含んでいる。給紙設定は、表紙用紙Ｐ１や本身用紙Ｐ２に印刷装置２（２ａ〜２ｃ）で画像を印刷する際の各用紙Ｐ１，Ｐ２の給紙元とする給紙部の設定である。印刷パターン設定は、印刷装置２（２ａ〜２ｃ）で行う表紙用紙Ｐ１や本身用紙Ｐ２に対する画像の印刷のパターンの設定である。
【０１１０】
本実施形態の印刷設定部１２３で受け付け可能な給紙設定や印刷パターン設定の内容は、印刷装置情報取得部１２４によって取得された通信ネットワークＮ上の印刷装置２（２ａ〜２ｃ）が有する給紙部の情報に応じて異なる。
【０１１１】
例えば、メイン給紙部８とオプション給紙部１２とを両方とも有している印刷装置２（２ａ〜２ｃ）については、給紙設定として、本身用紙Ｐ２の給紙元を印刷装置２（２ａ〜２ｃ）のメイン給紙部８及びオプション給紙部１２の中から選択し、本身用紙Ｐ２の給紙元とした給紙部を除いた他の給紙部の中から表紙用紙Ｐ１の給紙元を選択した設定を受け付けることができる。なお、表紙用紙Ｐ１は本身用紙Ｐ２よりも大きく、かつ、規格外のサイズである場合もあるので、表紙用紙Ｐ１の給紙元には専ら、メイン給紙部８が選択される。
【０１１２】
一方、オプション給紙部１２を持たない印刷装置２（２ａ〜２ｃ）で利用する動作モードについては、給紙設定として、表紙用紙Ｐ１と本身用紙Ｐ２のどちらかの給紙元を印刷装置２（２ａ〜２ｃ）のメイン給紙部８とする設定しか受け付けることができない。そして、印刷装置２（２ａ〜２ｃ）以外の給紙部は、印刷済みの表紙用紙Ｐ１の給紙元に使える製本装置３のストックトレイ３６しかないので、給紙設定は事実上、印刷装置２（２ａ〜２ｃ）のメイン給紙部８を本身用紙Ｐ２の給紙元とし製本装置３のストックトレイ３６を表紙用紙Ｐ１の給紙元とする選択肢しかない。
【０１１３】
次に、メイン給紙部８とオプション給紙部１２とを両方とも有している印刷装置２（２ａ〜２ｃ）については、印刷パターン設定として、通常印刷、本身印刷（１）、本身印刷（２）、表紙別印刷の４パターンを選択することができる。
【０１１４】
まず、通常印刷は、一つの冊子Ｂの表紙用紙Ｐ１と本身用紙Ｐ２とを印刷装置２（２ａ〜２ｃ）の別々の給紙部から交互に給紙して画像を印刷し、印刷した表紙用紙Ｐ１と本身用紙Ｐ２とを順次製本装置３に排紙してくるみ製本させる印刷パターンである。
【０１１５】
次に、本身印刷（１）は、一つの冊子Ｂの印刷済みの表紙用紙Ｐ１と未印刷の本身用紙Ｐ２とを印刷装置２（２ａ〜２ｃ）の別々の給紙部から交互に給紙して、印刷済みの表紙用紙Ｐ１は画像の印刷を行わずに製本装置３に排紙し、本身用紙Ｐ２は画像を印刷して表紙用紙Ｐ１と交互に製本装置３に排紙して、製本装置３にくるみ製本させる印刷パターンである。
【０１１６】
続いて、本身印刷（２）は、全ての冊子Ｂの本身用紙Ｐ２を印刷装置２（２ａ〜２ｃ）の一つの給紙部から連続的に給紙して画像を印刷し、印刷済みの表紙用紙Ｐ１がスタックトレイ３６から一つの冊子Ｂ分ずつ給紙される製本装置３に、表紙用紙Ｐ１と同期して一つの冊子Ｂ分ずつ本身用紙Ｐ２を排紙して、製本装置３にくるみ製本させる印刷パターンである。
【０１１７】
最後に、表紙別印刷は、全ての冊子Ｂの表紙用紙Ｐ１を印刷装置２（２ａ〜２ｃ）の一つの給紙部から連続的に給紙して画像を印刷し、ユーザに製本装置３のストックトレイ３６に移し替えさせるために排紙部１８に排紙する印刷パターンである。表紙別印刷で印刷した表紙用紙Ｐ１は、上述した本身印刷（１）や本身印刷（２）で印刷された本身用紙Ｐ２と共に、製本装置３によるくるみ製本に用いられる。
【０１１８】
一方、オプション給紙部１２を有していない印刷装置２（２ａ〜２ｃ）については、印刷パターン設定として、メイン給紙部８とオプション給紙部１２とを給紙部として使用する通常印刷と本身印刷（１）を選択することができない。
【０１１９】
したがって、オプション給紙部１２を有していない印刷装置２（２ａ〜２ｃ）では、印刷パターン設定として選択可能な本身印刷（２）と表紙別印刷とを組み合わせて実行することで、表紙用紙Ｐ１と本文用紙Ｐ２に画像を印刷して製本装置３でくるみ製本することができる。
【０１２０】
その場合は、表紙別印刷により表紙用紙Ｐ１に対する画像の印刷を印刷装置２（２ａ〜２ｃ）で行った後、印刷済みの表紙用紙Ｐ１を印刷装置２（２ａ〜２ｃ）の排出部１８から製本装置３のストックトレイ３６に移し替えて、本身用紙Ｐ２に対する画像の印刷を印刷装置２（２ａ〜２ｃ）で行う必要がある。
【０１２１】
しかし、給紙設定において、印刷装置２（２ａ〜２ｃ）のメイン給紙部８が本身用紙Ｐ２の給紙元に選択されていると、印刷パターン設定で表紙別印刷を選択しても、製本装置３のストックトレイ３６が表紙用紙Ｐ１の給紙元に選択されているため、表紙用紙Ｐ１をメイン給紙部８から給紙させて印刷装置２（２ａ〜２ｃ）に表紙別印刷を行わせることができない。
【０１２２】
そこで、印刷設定部１２３は、オプション給紙部１２を有していない印刷装置２（２ａ〜２ｃ）で表紙別印刷により表紙用紙Ｐ１に対する画像の印刷を行わせる際に、給紙設定により本身用紙Ｐ２の給紙元に設定されている印刷装置２（２ａ〜２ｃ）のメイン給紙部８を、表紙用紙Ｐ１の給紙元に一旦設定する。そして、表紙別印刷による表紙用紙Ｐ１への画像の印刷が終了した後、本身印刷（２）により本身用紙Ｐ２への画像の印刷を開始する前に、印刷装置２（２ａ〜２ｃ）のメイン給紙部８を本身用紙Ｐ２の給紙元に設定し直す。
【０１２３】
印刷装置情報取得部１２４は、通信ネットワークＮ上の印刷装置２（２ａ〜２ｃ）の情報を取得する。具体的には、各印刷装置２（２ａ〜２ｃ）が印刷ジョブを処理可能な状態であるか否かの情報、即ち、印刷装置情報取得部１２４は、各印刷装置２（２ａ〜２ｃ）の動作モードのステータス（起動中、省電力モード中、電源オフ中等）の情報や、各印刷装置２（２ａ〜２ｃ）のオプション給紙部１２の有無に関する情報を、プリンタサーバＳを介して各印刷装置２（２ａ〜２ｃ）から取得する。
【０１２４】
印刷設定変更受付部１２５は、印刷設定部１２３が受け付けた印刷設定の変更を受け付ける。本実施形態においては、印刷設定部１２３に初期設定の印刷パターン設定として、通常印刷が予め設定されている。
【０１２５】
そして、印刷装置情報取得部１２４によって情報が取得された各印刷装置２（２ａ〜２ｃ）のうち、オプション給紙部１２がない印刷装置２（２ａ〜２ｃ）に印刷ジョブを出力する場合には、印刷設定変更受付部１２５によって印刷パターン設定の通常印刷から表紙別印刷への変更が受け付けられる。
【０１２６】
また、印刷装置情報取得部１２４によって情報が取得された各印刷装置２（２ａ〜２ｃ）のうち、オプション給紙部１２がある印刷装置２（２ａ〜２ｃ）に印刷ジョブを出力する場合であって、メイン給紙部８の最大用紙収容（積載）枚数よりもオプション給紙部１２の最大用紙収容枚数の合計の方が少ない場合には、印刷設定変更受付部１２５によって印刷パターン設定の通常印刷から表紙別印刷への変更が受け付けられる。反対に、メイン給紙部８の最大用紙収容（積載）枚数よりもオプション給紙部１２の最大用紙収容枚数の合計の方が多い場合には、印刷パターン設定は印刷設定部１２３が受け付けた初期設定の通常印刷のままとなる。
【０１２７】
なお、これに限らず、印刷設定部１２３に印刷パターン設定の初期設定として表紙別印刷を予め設定し、印刷装置情報取得部１２４によって取得された情報の内容によって、必要に応じて、印刷設定変更受付部１２５により印刷パターン設定の表示別印刷から通常印刷への変更を受け付けるようにしてもよい。
【０１２８】
印刷設定変更報知部１２６は、印刷装置情報取得部１２４によって取得された情報の内容に基づいて、印刷設定の変更をユーザに対して促すように報知する。具体的には、本実施形態の印刷設定変更報知部１２６は、印刷パターン設定の変更を促すメッセージをモニタ１５０に表示させる。
【０１２９】
本実施形態においては、上述したように印刷設定部１２３により印刷パターン設定が初期設定として通常印刷とされている。このため、印刷設定変更報知部１２６は、印刷装置情報取得部１２４によって取得された情報の内容が、印刷設定変更受付部１２５によって印刷パターン設定の通常印刷から表紙別印刷への変更を受け付けるのに該当する内容である場合に、通常印刷から表紙別印刷への変更を促すメッセージをモニタ１５０に表示する。
【０１３０】
なお、これに限らず、印刷設定部１２３に印刷パターン設定の初期設定として表紙別印刷を予め設定し、印刷装置情報取得部１２４によって取得された情報の内容が、印刷設定変更受付部１２５によって表紙別印刷から通常印刷への変更を受け付けるのに該当する内容である場合に、印刷設定変更報知部１２６が、表紙別印刷から通常印刷への印刷パターン設定の変更を促すメッセージをモニタ１５０に表示させるようにしてもよい。
【０１３１】
表紙印刷終了報知部１２７は、印刷装置情報取得部１２４によって取得された情報が、表紙別印刷による表紙用紙Ｐ１への画像の印刷が終了したことを示す内容である場合に、印刷装置２（２ａ〜２ｃ）において表紙用紙Ｐ１に対する全ての冊子Ｂ分の画像の印刷が終了したことを示す表紙印刷終了情報を、印刷装置２（２ａ〜２ｃ）から受け付ける。そして、表紙印刷終了情報の受け付けに応じて表紙用紙Ｐ１に対する画像の印刷が全ての冊子Ｂ分について終了したことを報知する。
【０１３２】
本実施形態の表紙印刷終了報知部１２７は、具体的には、モニタ１５０に表紙用紙Ｐ１に対する画像の印刷が全ての冊子Ｂ分について終了したことを示すメッセージを表示させる。なお、表紙用紙Ｐ１の印刷が終了したことを報知する方法としては、このようなメッセージ表示に限らず、音で知らせたり、ランプを点灯させたりしてもよい。
【０１３３】
印刷ジョブ生成部１２８は、表紙用紙Ｐ１及び本身用紙Ｐ２の各画像データを印刷装置２（２ａ〜２ｃ）において認識可能なＰＤＬ（Page Description Language ）データからなる印刷データに変換し、これと、印刷装置２（２ａ〜２ｃ）における印刷動作及び製本装置３におけるくるみ製本動作の基となる印刷設定（給紙設定及び印刷パターン設定を含む）のデータとを含む印刷ジョブデータを生成して、プリンタサーバＳを介して、印刷可能な印刷装置２（２ａ〜２ｃ）に出力する。
【０１３４】
例えば、印刷装置２（２ａ〜２ｃ）がメイン給紙部８とオプション給紙部１２とを両方とも有しており、給紙設定として、メイン給紙部８を表紙用紙Ｐ１の給紙元としオプション給紙部１２を本身用紙Ｐ２の給紙元とする設定が印刷設定部１２３で受け付けられているものとする。
【０１３５】
ここで、印刷パターン設定として通常印刷が印刷設定部１２３で受け付けられている場合は、印刷ジョブ生成部１２８は、製本装置３で一つの冊子Ｂにくるみ製本される表紙用紙Ｐ１と本身用紙Ｐ２とが印刷装置２（２ａ〜２ｃ）のメイン給紙部８とオプション給紙部１２とから順次給紙されて、表紙用紙Ｐ１に対する印刷と冊子Ｂの一冊分の本身用紙Ｐ２に対する印刷と製本装置３への排紙とが印刷装置２（２ａ〜２ｃ）で交互に製本部数分繰り返して実行されるような内容で、印刷ジョブデータを生成する。
【０１３６】
なお、このような印刷ジョブデータとしては、例えば、各冊子Ｂの表紙用紙Ｐ１の画像データと本身用紙Ｐ２の画像データとを交互に配列したデータ構造としてもよい。あるいは、各冊子Ｂの表紙用紙Ｐ１の画像データ及び本身用紙Ｐ２の画像データと、それらの画像データの出力順（印刷順）の情報とを有するデータ構造としてもよい。
【０１３７】
また、印刷パターン設定として本身印刷（１）が印刷設定部１２３で受け付けられている場合は、印刷ジョブ生成部１２８は、製本装置３で一つの冊子Ｂにくるみ製本される印刷済の表紙用紙Ｐ１と未印刷の本身用紙Ｐ２とが印刷装置２（２ａ〜２ｃ）のメイン給紙部８とオプション給紙部１２とから順次給紙されて、表紙用紙Ｐ１の製本装置３への搬送と冊子Ｂの一冊分の本身用紙Ｐ２に対する印刷及び製本装置３への排紙とが印刷装置２（２ａ〜２ｃ）で交互に製本部数分繰り返して実行されるような内容で、印刷ジョブデータを生成する。
【０１３８】
さらに、印刷パターン設定として本身印刷（２）が印刷設定部１２３で受け付けられている場合は、印刷ジョブ生成部１２８は、製本装置３で一つの冊子Ｂにくるみ製本される全ての本身用紙Ｐ２が印刷装置２（２ａ〜２ｃ）のメイン給紙部８から連続的に給紙されて、製本装置３におけるストックトレイ３６からの印刷済の表紙用紙Ｐ１の給紙に同期した、冊子Ｂの一冊分の本身用紙Ｐ２に対する印刷及び製本装置３への排紙が、印刷装置２（２ａ〜２ｃ）で製本部数分繰り返して実行されるような内容で、印刷ジョブデータを生成する。
【０１３９】
なお、本身印刷（１）や本身印刷（２）の印刷ジョブデータとしては、例えば、全ての冊子Ｂの本身用紙Ｐ２の画像データを印刷順に配列したデータ構造としてもよい。あるいは、全ての冊子Ｂの本身用紙Ｐ２の画像データと、それらの画像データの出力順（印刷順）の情報とを有するデータ構造としてもよい。
【０１４０】
また、印刷パターン設定として表紙別印刷が印刷設定部１２３で受け付けられている場合は、印刷ジョブ生成部１２８は、製本装置３で一つの冊子Ｂにくるみ製本される全ての表紙用紙Ｐ１が印刷装置２（２ａ〜２ｃ）のメイン給紙部８から冊子Ｂの冊数分まとめて連続的に給紙されて、表紙用紙Ｐ１に対する印刷が製本部数分繰り返して実行されるような内容で、印刷ジョブデータを生成する。
【０１４１】
なお、表紙別印刷の印刷ジョブデータとしては、例えば、全ての冊子Ｂの表紙用紙Ｐ１の画像データを印刷順に配列したデータ構造としてもよい。あるいは、全ての冊子Ｂの表紙用紙Ｐ１の画像データと、それらの画像データの出力順（印刷順）の情報とを有するデータ構造としてもよい。
【０１４２】
次に、印刷装置２（２ａ〜２ｃ）がオプション給紙部１２を有しておらず、給紙設定として、メイン給紙部８を本身用紙Ｐ２の給紙元とし製本装置３のストックトレイ３６を表紙用紙Ｐ１の給紙元とする設定が印刷設定部１２３で受け付けられているものとする。
【０１４３】
ここで、印刷パターン設定として本身印刷（２）が印刷設定部１２３で受け付けられている場合は、印刷ジョブ生成部１２８は、印刷装置２（２ａ〜２ｃ）がオプション給紙部１２を有している場合の本身印刷（２）の印刷ジョブデータと同じ内容で、印刷ジョブデータを生成する。
【０１４４】
また、印刷パターン設定として表紙別印刷が印刷設定部１２３で受け付けられている場合は、印刷ジョブ生成部１２８は、印刷装置２（２ａ〜２ｃ）がオプション給紙部１２を有している場合の表紙別印刷の印刷ジョブデータと同じ内容で、印刷ジョブデータを生成する。
【０１４５】
但し、印刷装置２（２ａ〜２ｃ）がオプション給紙部１２を有していない印刷装置２（２ａ〜２ｃ）では、給紙設定において、表紙用紙Ｐ１の給紙元が製本装置３のストックトレイ３６に設定されており、このままの給紙設定では、印刷装置２（２ａ〜２ｃ）がオプション給紙部１２を有している場合の表紙別印刷と同じ内容の印刷ジョブデータを生成することができない。
【０１４６】
そこで、印刷ジョブ生成部１２８は、表紙用紙Ｐ１の給紙元を給紙設定の製本装置３のストックトレイ３６から印刷装置２（２ａ〜２ｃ）のメイン給紙部８に変更した印刷ジョブデータを生成する。
【０１４７】
ところで、印刷装置２（２ａ〜２ｃ）で表紙用紙Ｐ１や本身用紙Ｐ２の印刷を行う際、本身用紙Ｐ２は冊子Ｂの本文部分であるため、表裏両面に画像を印刷する場合が圧倒的に多い。これに対し、表紙用紙Ｐ１は冊子Ｂの表紙であるため、冊子Ｂの体裁によって、表印刷面Ｐ１ａと裏印刷面Ｐ１ｂの両方に画像を印刷する場合もあれば、どちらか一方に画像を印刷する場合もある。
【０１４８】
図６は印刷装置２（２ａ〜２ｃ）における用紙の搬送経路と画像を印刷する用紙の面との関係を示す説明図である。図６に示す４つのパターンのうち、用紙に画像を印刷しないパターン１と、用紙の表面のみに画像を印刷するパターン２とは、用紙の搬送経路が片面印刷の経路となる。即ち、用紙は表裏反転のためのスイッチバック搬送路１７を通過しない。
【０１４９】
一方、用紙の両面に画像をそれぞれ印刷するパターン４は、用紙の搬送経路が両面印刷の経路となる。即ち、用紙は印刷部５から表裏反転のためのスイッチバック搬送路１７に移送されて、再び印刷部５に給紙されることになる。
【０１５０】
このように、画像を印刷する面が用紙の「片面」又は「なし」である場合の用紙の搬送経路は、原則的に片面印刷の経路である。しかし、用紙の裏面のみに画像を印刷するパターン３では、用紙を表裏反転させて印刷部５に給紙する必要があるので、画像を印刷する面が用紙の「片面」であるのに、用紙の両面に画像をそれぞれ印刷するパターン４と同じく両面印刷の経路で用紙を搬送して、印刷部５に用紙を二度給紙しなければならない。
【０１５１】
即ち、画像を印刷するのは共に用紙の片方の面だけであるが、用紙の裏面のみに画像を印刷するパターン３では、用紙の表面のみに画像を印刷するパターン２のように用紙の搬送経路を片面印刷の経路とすることができず、両面印刷の経路としなければならないので、用紙の搬送に時間がかかることになる。
【０１５２】
そこで、用紙の表面に画像を印刷し、画像を印刷した面を裏面として取り扱うようにすれば、用紙の裏面のみに画像を印刷するパターン３でも、用紙の表面のみに画像を印刷するパターン２のように、用紙の搬送経路を片面印刷の経路とすることができ、効率よく画像を印刷させることができる。
【０１５３】
ところで、印刷装置２（２ａ〜２ｃ）で印刷した表紙用紙Ｐ１を連絡搬送路１９により製本装置３に搬送すると、表紙用紙Ｐ１の表印刷面Ｐ１ａが製本装置３の中でも表印刷面Ｐ１ａとして取り扱われる。このため、表紙用紙Ｐ１の表印刷面Ｐ１ａが製本装置３では裏印刷面Ｐ１ｂとして取り扱われるようにするためには、連絡搬送路１９以外の経路で表紙用紙Ｐ１を印刷装置２（２ａ〜２ｃ）製本装置３に移す必要がある。
【０１５４】
ここで、印刷装置２（２ａ〜２ｃ）の排紙部１８には、用紙がフェイスダウンの状態で排出される。一方、製本装置３のストックトレイ３６には、くるみ製本後に冊子Ｂの外側に露出する面を上向きにして表紙用紙Ｐ１をセットする必要がある。そこで、印刷装置２（２ａ〜２ｃ）では、表印刷面Ｐ１ａに画像を印刷した表紙用紙Ｐ１を、表印刷面Ｐ１ａを下向きにして排紙部１８に排紙させ、排紙された表紙用紙Ｐ１の束を排紙部１８からストックトレイ３６に、上下の向きをそのままにして移載する。
【０１５５】
これにより、画像が印刷された面を下に向けて表紙用紙Ｐ１の束がストックトレイ３６にセットされる。よって、以後製本装置３では、表紙用紙Ｐ１の下に向けた画像の印刷面を、くるみ製本後に冊子Ｂの本身と接する裏印刷面Ｐ１ｂとして取り扱うことができる。
【０１５６】
この考え方を、例えば、表紙別印刷において、全ての冊子Ｂ分の表紙用紙Ｐ１の裏印刷面Ｐ１ｂのみに、印刷装置２（２ａ〜２ｃ）の印刷部５で画像を印刷（表紙印刷）させる際に印刷ジョブ生成部１２８が生成する印刷ジョブデータに適用すれば、裏印刷面Ｐ１ｂのみに画像を印刷する表紙用紙Ｐ１を表紙別印刷で印刷する際の効率を良くすることができる。
【０１５７】
但し、表紙用紙Ｐ１の裏印刷面Ｐ１ｂに印刷する画像が、例えばシリアルナンバー等の本単位で内容が異なるバリアブル画像であると、例えば、印刷後の表紙用紙Ｐ１を排出部１８に排出した場合に、表紙用紙Ｐ１の積載順が、最後に印刷された表紙用紙Ｐ１が一番上で最初に印刷された表紙用紙Ｐ１が一番下となる降順となる。
【０１５８】
このため、積載された表紙用紙Ｐ１を例えば製本装置３のストックトレイ３６にセットして製本搬送路３５に給紙する場合等に、取り出しやすい一番上から給紙されると、表紙用紙Ｐ１の給紙順が、本の内容毎に異なるバリアブル画像の内容（印刷）順とは逆の順番になる。すると、製本装置３に対する本身用紙Ｐ２の供給順と一致しなくなり、冊子Ｂを正しく製本できなくなってしまう。
【０１５９】
そこで、印刷ジョブ生成部１２８は、表紙別印刷において、全ての冊子Ｂ分の表紙用紙Ｐ１の裏印刷面Ｐ１ｂのみに、上述したようなバリアブル画像を印刷（表紙印刷）させる印刷ジョブデータを生成する際に、本の順番、即ち、本の内容に対応するバリアブル画像の内容順とは逆の順番で、表紙用紙Ｐ１の表印刷面Ｐ１ａにバリアブル画像を印刷させる印刷ジョブデータを生成する。
【０１６０】
この印刷ジョブデータに基づいて印刷装置２（２ａ〜２ｃ）が表紙別印刷で表紙用紙Ｐ１の表印刷面Ｐ１ａにバリアブル画像を印刷し、例えば排出部１８に印刷済みの表紙用紙Ｐ１を排出すると、排出部１８における表紙用紙Ｐ１の積載順は、最後に印刷された、一つ目の本の内容に対応するバリアブル画像が表印刷面Ｐ１ａに印刷された表紙用紙Ｐ１が一番上で、最初に印刷された、最後の本の内容に対応するバリアブル画像が表印刷面Ｐ１ａに印刷された表紙用紙Ｐ１が一番下となる。
【０１６１】
そこで、排出部１８に排出されて積載された印刷後の表紙用紙Ｐ１をそのままの向きで製本装置３のストックトレイ３６にセットし、画像を印刷した表印刷面Ｐ１ａを今後は裏印刷面Ｐ１ｂとして取り扱い、画像を印刷していない裏印刷面Ｐ１ｂを今後は表印刷面Ｐ１ａとして取り扱うようにする。
【０１６２】
そうすると、一番上の表紙用紙Ｐ１の裏印刷面Ｐ１ｂに印刷された画像が一つ目の本の内容に対応するバリアブル画像であり、一番下の表紙用紙Ｐ１の裏印刷面Ｐ１ｂに印刷された画像が最後の本の内容に対応するバリアブル画像である状態で、印刷後の表紙用紙Ｐ１が積載された状態となる。したがって、製本装置３に対する本身用紙Ｐ２の供給順と一致する順番で表紙用紙Ｐ１を例えば製本装置３に供給できるようにすることができる。
【０１６３】
これにより、裏印刷面Ｐ１ｂにバリアブル画像が印刷された表紙用紙Ｐ１を表紙別印刷に対応する印刷モードで動作させた印刷装置２（２ａ〜２ｃ）により得る際に、本の内容毎に異なるバリアブル画像の内容（印刷）順番通りに印刷後の表紙用紙Ｐ１が積載されるような印刷動作を、片面印刷の経路で表紙用紙Ｐ１を搬送して実現できるように、印刷装置２（２ａ〜２ｃ）を効率よく動作させることができる。
【０１６４】
次に、図７を参照して、印刷装置２（２ａ〜２ｃ）の印刷制御部２０について説明する。図７は印刷装置２（２ａ〜２ｃ）の印刷制御部２０の構成を示すブロック図である。印刷装置２（２ａ〜２ｃ）の印刷制御部２０は、ＣＰＵの他、ＲＡＭ、ＲＯＭ等の半導体メモリやハードディスクやＳＳＤ（Solid State Drive ）等のストレージデバイス等を備えている。また、印刷制御部２０には、印刷装置２（２ａ〜２ｃ）の筐体４上部に配置された操作部２４０及びディスプレイ２５０が接続されている。
【０１６５】
そして、印刷制御部２０のハードディスク等にプログラムがインストールされることによって、印刷制御部２０内に印刷ジョブデータ取得部２１０が構成される。また、印刷制御部２０のハードディスク等にプログラムがインストールされることによって、印刷制御部２０内に印刷処理部２２０が構成されている。
【０１６６】
印刷処理部２２０は、印刷データ生成部２２１、くるみ製本用データ抽出部２２２、印刷装置情報出力部２２３、印刷装置情報取得部２２４、印刷モード変更受付部２２５、印刷モード変更報知部２２６、及び印刷状態報知部２２７を備えている。そして、ハードディスクにインストールされたプログラムがＣＰＵによって実行されることによって、印刷制御部２０に上記各部がそれぞれ構成される。
【０１６７】
以下、印刷処理部２２０の各部について詳細に説明する。
【０１６８】
印刷データ生成部２２１は、印刷ジョブデータ取得部２１０において取得されたユーザ端末１（１ａ〜１ｃ）からの印刷ジョブデータに基づいて、印刷装置２（２ａ〜２ｃ）の印刷部５において表紙用紙Ｐ１と本身用紙Ｐ２とにそれぞれ印刷する画像の印刷データ（ドットデータ）を生成する。本実施形態では、印刷データ生成部２２１は、インクジェットヘッド６Ｃ，６Ｋ，６Ｍ，６Ｙからそれぞれ吐出するシアン（Ｃ）、ブラック（Ｋ）、マゼンタ（Ｍ）、イエロー（Ｙ）の各色のインクのドットパターンを示す印刷データを生成する。
【０１６９】
また、印刷データ生成部２２１は、印刷ジョブデータ取得部２１０において取得されたユーザ端末１（１ａ〜１ｃ）からの印刷ジョブデータの印刷パターン設定に基づいて、印刷装置２（２ａ〜２ｃ）の動作モードを設定する。さらに、本実施形態の印刷データ生成部２２１は、設定した動作モードに応じた内容で印刷装置２（２ａ〜２ｃ）の各部を動作させるための印刷動作データを生成する。また、印刷データもこれに合わせた内容とする。
【０１７０】
ここで、メイン給紙部８とオプション給紙部１２とを両方とも有している印刷装置２（２ａ〜２ｃ）の場合は、印刷データ生成部２２１は以下のような印刷データと印刷動作データとを生成する。
【０１７１】
まず、印刷装置２（２ａ〜２ｃ）の動作モードを通常印刷に対応する印刷モードに設定した場合に、印刷データ生成部２２１は、製本装置３で一つの冊子Ｂにくるみ製本される表紙用紙Ｐ１と本身用紙Ｐ２とが、メイン給紙部８とオプション給紙部１２とから順次給紙されて、表紙用紙Ｐ１に対する印刷と冊子Ｂの一冊分の本身用紙Ｐ２に対する印刷とが印刷部５で交互に製本部数分繰り返して実行されるような内容で、印刷データと印刷動作データを生成する。
【０１７２】
また、印刷装置２（２ａ〜２ｃ）の動作モードを本身印刷（１）に対応する印刷モードに設定した場合に、印刷データ生成部２２１は、製本装置３で一つの冊子Ｂにくるみ製本される印刷済の表紙用紙Ｐ１と未印刷の本身用紙Ｐ２とが、メイン給紙部８とオプション給紙部１２とから順次給紙されて、表紙用紙Ｐ１の製本装置３への搬送と冊子Ｂの一冊分の本身用紙Ｐ２に対する印刷及び製本装置３への排紙とが印刷装置２（２ａ〜２ｃ）で交互に製本部数分繰り返して実行されるような内容で、印刷データと印刷動作データを生成する。
【０１７３】
さらに、印刷装置２（２ａ〜２ｃ）の動作モードを本身印刷（２）に対応する印刷モードに設定した場合に、印刷データ生成部２２１は、製本装置３で一つの冊子Ｂにくるみ製本される全ての本身用紙Ｐ２がオプション給紙部１２から連続的に給紙されて、製本装置３におけるストックトレイ３６からの印刷済の表紙用紙Ｐ１の給紙に同期した、冊子Ｂの一冊分の本身用紙Ｐ２に対する印刷及び製本装置３への排紙が、印刷装置２（２ａ〜２ｃ）で製本部数分繰り返して実行されるような内容で、印刷データと印刷動作データを生成する。
【０１７４】
また、印刷装置２（２ａ〜２ｃ）の動作モードを表紙別印刷に対応する印刷モードに設定した場合に、印刷データ生成部２２１は、製本装置３で一つの冊子Ｂにくるみ製本される全ての表紙用紙Ｐ１がメイン給紙部８から冊子Ｂの冊数分まとめて連続的に給紙されて、表紙用紙Ｐ１に対する印刷が製本部数分繰り返して実行されるような内容で、印刷データと印刷動作データを生成する。
【０１７５】
また、オプション給紙部１２を有していない印刷装置２（２ａ〜２ｃ）の場合は、印刷データ生成部２２１は以下のような印刷データと印刷動作データとを生成する。
【０１７６】
まず、印刷装置２（２ａ〜２ｃ）の動作モードを本身印刷（２）に対応する印刷モードに設定した場合に、印刷データ生成部２２１は、印刷装置２（２ａ〜２ｃ）がオプション給紙部１２を有している場合の本身印刷（２）の印刷データ及び印刷動作データと同じ内容で、印刷データと印刷動作データを生成する。
【０１７７】
また、印刷装置２（２ａ〜２ｃ）の動作モードを表紙別印刷に対応する印刷モードに設定した場合に、印刷データ生成部２２１は、印刷装置２（２ａ〜２ｃ）がオプション給紙部１２を有している場合の表紙別印刷の印刷データ及び印刷動作データと同じ内容で、印刷データと印刷動作データを生成する。
【０１７８】
なお、印刷装置２（２ａ〜２ｃ）の動作モードを表紙別印刷に対応する印刷モードに設定した場合であって、かつ、全ての冊子Ｂ分の表紙用紙Ｐ１の裏印刷面Ｐ１ｂのみに、例えばシリアルナンバー等の本単位で内容が異なるバリアブル画像を印刷（表紙印刷）させる際に、印刷データ生成部２２１は、本の順番、即ち、本の内容に対応するバリアブル画像の内容順とは逆の順番で、表紙用紙Ｐ１の表印刷面Ｐ１ａにバリアブル画像が印刷部５で印刷されるような内容で、印刷データと印刷動作データを生成する。
【０１７９】
この印刷データと印刷動作データに基づいて印刷装置２（２ａ〜２ｃ）が表紙別印刷に対応する印刷モードで表紙用紙Ｐ１の表印刷面Ｐ１ａにバリアブル画像を印刷し、例えば排出部１８に印刷済みの表紙用紙Ｐ１を排出すると、排出部１８における表紙用紙Ｐ１の積載順は、最後に印刷された、一つ目の本の内容に対応するバリアブル画像が表印刷面Ｐ１ａに印刷された表紙用紙Ｐ１が一番上で、最初に印刷された、最後の本の内容に対応するバリアブル画像が表印刷面Ｐ１ａに印刷された表紙用紙Ｐ１が一番下となる。
【０１８０】
そこで、排出部１８に排出されて積載された印刷後の表紙用紙Ｐ１を束ごと上下にひっくり返して、画像を印刷した表印刷面Ｐ１ａを今後は裏印刷面Ｐ１ｂとして取り扱い、画像を印刷していない裏印刷面Ｐ１ｂを今後は表印刷面Ｐ１ａとして取り扱うようにする。
【０１８１】
そうすると、一番上の表紙用紙Ｐ１の裏印刷面Ｐ１ｂに印刷された画像が一つ目の本の内容に対応するバリアブル画像であり、一番下の表紙用紙Ｐ１の裏印刷面Ｐ１ｂに印刷された画像が最後の本の内容に対応するバリアブル画像である状態で、印刷後の表紙用紙Ｐ１が積載された状態となる。したがって、製本装置３に対する本身用紙Ｐ２の供給順と一致する順番で表紙用紙Ｐ１を例えば製本装置３に供給できるようにすることができる。
【０１８２】
これにより、裏印刷面Ｐ１ｂにバリアブル画像が印刷された表紙用紙Ｐ１を表紙別印刷に対応する印刷モードで動作させた印刷装置２（２ａ〜２ｃ）により得る際に、本の内容毎に異なるバリアブル画像の内容（印刷）順番通りに印刷後の表紙用紙Ｐ１が積載されるような印刷動作を、片面印刷の経路で表紙用紙Ｐ１を搬送して実現できるように、印刷装置２（２ａ〜２ｃ）を効率よく動作させることができる。
【０１８３】
くるみ製本用データ抽出部２２２は、印刷ジョブデータ取得部２１０において取得されたユーザ端末１（１ａ〜１ｃ）からの印刷ジョブデータ中の、製本装置３で行うくるみ製本動作に関するデータを抽出し、製本装置３に出力する。
【０１８４】
印刷装置情報出力部２２３は、印刷装置情報取得部２２４が取得した印刷装置２（２ａ〜２ｃ）の情報を、通信ネットワークＮ及びプリンタサーバＳを介して、ユーザ端末１（１ａ〜１ｃ）に出力する。
【０１８５】
印刷装置情報取得部２２４は、印刷装置２（２ａ〜２ｃ）の情報を取得する。具体的には、印刷装置２（２ａ〜２ｃ）が印刷ジョブを処理可能な状態であるか否かの情報、即ち、印刷装置情報取得部２２４は、各印刷装置２（２ａ〜２ｃ）の動作モードのステータス（起動中、省電力モード中、電源オフ中等）の情報や、各印刷装置２（２ａ〜２ｃ）のオプション給紙部１２の有無に関する情報を取得する。
【０１８６】
また、印刷装置情報取得部２２４は、印刷装置２（２ａ〜２ｃ）のメイン給紙部８やオプション給紙部１２（存在する場合に限る）の最大用紙収容（積載）枚数や、表紙用紙Ｐ１、本身用紙Ｐ２の用紙切れの情報、印刷部５において画像が印刷された表紙用紙Ｐ１や本身用紙Ｐ２の枚数等に関する情報を取得する。
【０１８７】
印刷モード設定変更受付部２２５は、印刷データ生成部２２１が印刷ジョブデータに基づいて設定した印刷モードの変更を受け付ける。
【０１８８】
例えば、印刷装置２（２ａ〜２ｃ）がメイン給紙部８とオプション給紙部１２とを両方とも有しており、印刷データ生成部２２１が印刷装置２（２ａ〜２ｃ）の動作モードを通常印刷に対応する印刷モードに設定している状態で、印刷装置情報取得部２２４によって取得された情報が、オプション給紙部１２の本身用紙Ｐ２が用紙切れしたことを示している場合には、印刷モード変更受付部２２５によって、通常印刷に対応する印刷モードから表紙別印刷に対応する印刷モードへの、印刷装置２（２ａ〜２ｃ）の動作モードの変更が受け付けられる。
【０１８９】
この変更は、遅くとも、印刷ジョブデータ取得部２１０が取得した印刷ジョブデータに基づいて印刷データ生成部２２１が生成した印刷データによる印刷部５での印刷が完了するまでに終了される。したがって、印刷モード変更受付部２２５が受け付けた印刷モードの変更は、次の印刷ジョブデータに基づいた印刷データによる印刷には反映されない。
【０１９０】
印刷モード変更受付部２２５によって、通常印刷に対応する印刷モードから表紙別印刷に対応する印刷モードへの、印刷装置２（２ａ〜２ｃ）の動作モードの変更が受け付けられると、印刷データ生成部２２１は、通常印刷による表紙用紙Ｐ１や本身用紙Ｐ２の印刷部５における印刷動作を中断させる。そして、印刷データ生成部２２１は、残りの表紙用紙Ｐ１の印刷部５における印刷動作を表紙別印刷で印刷装置２（２ａ〜２ｃ）に実行させるための印刷データと印刷動作データとを生成する。
【０１９１】
そして、表紙別印刷による表紙用紙Ｐ１の印刷の終了後、例えば、ユーザ端末１（１ａ〜１ｃ）からの本身印刷（２）の印刷ジョブデータが印刷ジョブデータ取得部２１０において取得されたり、ユーザによる本身印刷（２）の再開指令が入力される等の、中断した本身用紙Ｐ２の印刷の再開条件を成立させるイベントが発生すると、印刷データ生成部２２１は、本身印刷（２）に対応する内容で印刷データと印刷動作データを生成する。
【０１９２】
このとき、表紙別印刷は既に終了しているので、再開する本身印刷（２）において、表紙別印刷の際に表紙用紙Ｐ１の給紙元としたメイン給紙部８を引き続き表紙用紙Ｐ１の給紙元として使用する必要はない。このため、再開する本身印刷（２）においては、メイン給紙部８を本身用紙Ｐ２の給紙元の選択肢に含めることができる。
【０１９３】
そして、給紙設定においてメイン給紙部８が本身用紙Ｐ２の給紙元に設定された場合は、製本装置３におけるストックトレイ３６からの印刷済の表紙用紙Ｐ１の給紙に同期して、メイン給紙部８から冊子Ｂの一冊分の本身用紙Ｐ２が給紙されるような内容で、印刷データ生成部２２１が印刷データと印刷動作データを生成する。
【０１９４】
なお、印刷装置情報取得部２２４が取得した、通常印刷中に印刷部５で印刷された本身用紙Ｐ２の枚数を、製本装置３でくるみ製本される複数の冊子Ｂの全ての本身用紙Ｐ２の枚数から差し引いた残印刷枚数が、オプション給紙部１２の最大用紙収容枚数の合計を上回る場合は、印刷データ生成部２２１が、本身用紙Ｐ２の給紙元をオプション給紙部１２からメイン給紙部８に自動的に変更するようにしてもよい。この変更は、印刷後の表紙用紙Ｐ１が排出部１８から製本装置３のストックトレイ３６に移載され、さらに、メイン給紙部８に本身用紙Ｐ２がセットされたことが確認された後に確定されるようにするのが好ましい。
【０１９５】
また、印刷装置情報取得部２２４が取得した、通常印刷中に印刷部５で印刷された本身用紙Ｐ２の枚数を、製本装置３でくるみ製本される複数の冊子Ｂの全ての本身用紙Ｐ２の枚数から差し引いた残印刷枚数が、オプション給紙部１２の最大用紙収容枚数の合計以下である場合は、印刷データ生成部２２１は、本身用紙Ｐ２の給紙元をオプション給紙部１２のまま変更しない。
【０１９６】
また、例えば、印刷データ生成部２２１が通常印刷から変更した表紙別印刷を印刷装置２（２ａ〜２ｃ）に実行させている状態で、印刷装置情報取得部２２４によって取得された情報が、オプション給紙部１２の本身用紙Ｐ２の用紙切れが解消したことを示している場合には、表紙別印刷の終了条件が成立した時点で、印刷モード変更受付部２２５によって表紙別印刷から通常印刷への変更が受け付けられる。
【０１９７】
表紙別印刷の終了条件が成立する時点は、例えば、オプション給紙部１２の本身用紙Ｐ２の用紙切れが解消した時点としてもよく、本身用紙Ｐ２の用紙切れが解消した後の、例えば、メイン給紙部８の表紙用紙Ｐ１が用紙切れしたり、排出部１８が印刷済みの表紙用紙Ｐ１で満タンになって、表紙別印刷を継続できなくなった時点（請求項中の中断が発生した原因の解消後の所定の時点に相当）としてもよい。
【０１９８】
表紙別印刷の終了条件が成立し、印刷モード変更受付部２２５によって表紙別印刷から通常印刷への変更が受け付けられると、印刷データ生成部２２１は、表紙別印刷による表紙用紙Ｐ１の印刷部５における印刷（表紙印刷）動作を中断する。
【０１９９】
そして、印刷データ生成部２２１は、印刷後の表紙用紙Ｐ１が排出部１８から製本装置３のストックトレイ３６に移載され、さらに、メイン給紙部８に本身用紙Ｐ２がセットされた後に、本身印刷（２）の印刷ジョブデータが印刷ジョブデータ取得部２１０において取得されると、表紙別印刷中に画像が印刷された表紙用紙Ｐ１の枚数に対応する冊子Ｂの冊数分、本身用紙Ｐ２の印刷部５における印刷動作を本身印刷（２）で印刷装置２（２ａ〜２ｃ）に実行させ、印刷後の本身用紙Ｐ２を、製本装置３のストックトレイ３６から上部製本搬送路３５への表紙用紙Ｐ１の給紙に同期して、冊子Ｂの冊単位で印刷装置２（２ａ〜２ｃ）の連絡搬送路１９から製本装置３の導入搬送路３２に排出させるための印刷データと印刷動作データを生成する。
【０２００】
さらに、印刷データ生成部２２１は、本身印刷（２）の終了後に、例えば、ユーザ端末１（１ａ〜１ｃ）から入力される通常印刷の印刷ジョブデータが印刷ジョブデータ取得部２１０において取得されたり、ユーザによる通常印刷の再開指令が入力される等の、中断した通常印刷の再開条件を成立させるイベントが発生すると、残りの表紙用紙Ｐ１や本身用紙Ｐ２の印刷部５における印刷動作を通常印刷で印刷装置２（２ａ〜２ｃ）に実行させるための印刷データと印刷動作データを生成する。
【０２０１】
以上の説明からも明らかなように、本実施形態では、印刷データ生成部２２１が請求項中の中断時制御部に相当している。
【０２０２】
印刷モード変更報知部２２６は、印刷装置情報取得部２２４によって取得された情報の内容に基づいて、印刷モードの変更をユーザに対して促すように報知する。具体的には、本実施形態の印刷モード変更報知部２２６は、印刷モードの変更を促すメッセージをディスプレイ２５０に表示させる。
【０２０３】
本実施形態においては、印刷モード変更報知部２２６は、印刷装置情報取得部２２４によって取得された情報の内容が、印刷モード変更受付部２２５によって通常印刷から表紙別印刷への変更や表紙別印刷から通常印刷への変更を受け付けるのに該当する内容である場合に、印刷モードの変更を促すメッセージをディスプレイ２５０に表示する。
【０２０４】
印刷状態報知部２２７は、印刷装置情報取得部２２４によって取得された情報が、表紙別印刷による表紙用紙Ｐ１への画像の印刷が終了したことを示す内容である場合に、表紙別印刷による表紙用紙Ｐ１に対する画像の印刷が全ての冊子Ｂ分について終了したことを報知する。
【０２０５】
また、印刷状態報知部２２７は、印刷装置情報取得部２２４によって取得された情報が、表紙用紙Ｐ１や本身用紙Ｐ２の用紙切れを示す内容である場合に、用紙切れした表紙用紙Ｐ１や本身用紙Ｐ２の補充を要求するメッセージを報知する。
【０２０６】
本実施形態の印刷状態報知部２２７は、具体的には、ディスプレイ２５０に表紙用紙Ｐ１に対する画像の印刷が全ての冊子Ｂ分について終了したことや用紙切れを示すメッセージを表示させる。なお、表紙用紙Ｐ１の印刷が終了したことや用紙切れを報知する方法としては、このようなメッセージ表示に限らず、音で知らせたり、ランプを点灯させたりしてもよい。
【０２０７】
また、印刷装置２（２ａ〜２ｃ）の印刷制御部２０のハードディスクには、プリンタエンジンドライバ２３０のプログラムがインストールされている。プリンタエンジンドライバ２３０は、印刷部５や印刷搬送路７等、印刷装置２（２ａ〜２ｃ）のプリンタエンジン部分を動作させる。
【０２０８】
次に、本実施形態の印刷システムで冊子Ｂを製本する際にユーザ端末１（１ａ〜１ｃ）で行われる処理を、図８を参照して説明する。図８は本実施形態の印刷システムにおいてくるみ製本印刷を行う際にユーザ端末１（１ａ〜１ｃ）で行われる処理の手順を示すフローチャートである。
【０２０９】
まず、ユーザによって画像データ生成部１１０が起動され、ユーザによって文書、イラスト、写真画像などが編集され、くるみ製本される冊子Ｂの表紙用紙Ｐ１に印刷される画像データと本身用紙Ｐ２に印刷される画像データとが生成されて、ユーザ端末１（１ａ〜１ｃ）の本体のストレージデバイスに記憶される（ステップＳ１０）。
【０２１０】
次に、印刷メニューの選択等により、ユーザによってプリンタドライバ１２０が起動され、くるみ製本用画像データ生成部１２２によって、図９乃至図１１に示すような画像割当画面がモニタ６０に表示される。
【０２１１】
例えば、図９に示す画像割当画面上においては、表紙用紙Ｐ１の表印刷面Ｐ１ａの「表表紙」、「裏表紙」、「背表紙」のいずれかの印刷領域がユーザによって指定されるとともに、その指定された印刷領域に割り当てる画像データのファイル名が選択される。なお、画像データのファイル名の選択については、たとえば画像データ生成部１１０において生成された画像データのファイル名がプルダウンメニュー（図示省略）によって表示され、そのプルダウンメニュー内のファイル名を選択することによって行われる。
【０２１２】
また、図１０に示す画像割当画面上においては、表紙用紙Ｐ１の裏印刷面Ｐ１ｂの「表表紙の裏面」または「裏表紙の裏面」の印刷領域がユーザによって指定されるとともに、その指定された印刷領域に割り当てる画像データのファイル名が選択される。
【０２１３】
さらに、図１１に示す画像割当画面上においては、本身用紙Ｐ２の印刷領域がユーザによって指定されるとともに、その指定された印刷領域に割り当てる画像データのファイル名が選択される。
【０２１４】
なお、図９乃至図１１の画像割当画面の左側に表示されているサムネイル画像のいずれかを指定することによって、画像割当画面の右側に表示されているプレビュー画面ＰＶを切り替えることができる。そして、本身については、図１１に示されている本身用紙Ｐ２のサムネイル画像のいずれかを指定することによって、プレビュー画面ＰＶのページ、表面及び裏面が切り替えられるものとする。
【０２１５】
そして、表紙用紙Ｐ１及び本身用紙Ｐ２の各印刷領域の画像データの選択が終了すると、表紙用紙Ｐ１及び本身用紙Ｐ２の各印刷領域に割り当てられる画像データが、画像データ生成部１１０から出力され、画像データ取得部１２１によって取得される（ステップＳ１２）。画像データ取得部１２１によって取得された画像データは、くるみ製本用画像データ生成部１２２に入力され、くるみ製本用画像データ生成部１２２は、入力された画像データを表紙用紙Ｐ１及び本身用紙Ｐ２の各印刷領域に割り当て、図９乃至図１１に示すプレビュー画面ＰＶに表紙用紙Ｐ１及び本身用紙Ｐ２のプレビュー画像を表示する（ステップＳ１４）。
【０２１６】
続いて、モニタ６０に表示された印刷指示ボタン（図示省略）がマウスなどの入力装置１４０によって押下されると、くるみ製本用画像データ生成部１２２が、表紙用紙Ｐ１及び本身用紙Ｐ２に割り当てられた画像データに基づいて、表紙用紙Ｐ１の表印刷面Ｐ１ａ及び裏印刷面Ｐ１ｂに印刷される画像データを生成する。これと共に、くるみ製本用画像データ生成部１２２が、本身用紙Ｐ２の表面及び裏面に印刷される画像データを生成し、これらを印刷設定部１２３に出力する。また、印刷設定部１２３が、図１２に示すような、くるみ製本の印刷条件設定画面をモニタ６０に表示する。そして、モニタ６０に表示された印刷条件設定画面において、くるみ製本する印刷物の部数等がユーザによって入力される（ステップＳ１６）。
【０２１７】
図１２に示す印刷条件設定画面には、印刷に使用する印刷装置２（２ａ〜２ｃ）を選択するプリンタのプルダウンメニューボックスが表示される。このボックスには、印刷装置情報取得部１２４によって取得された通信ネットワークＮ上の印刷動作中や電源オフ中でない印刷装置２（２ａ〜２ｃ）を表示するプリンタが表示される。
【０２１８】
また、図１２に示す印刷条件設定画面には、印刷パターン設定の選択入力を行う「表示別プリント」のプルダウンメニューボックスが表示される。このボックスには、「ＯＦＦ」（通常印刷）、「表紙以外をプリントして製本する」（本身印刷（２））、「インサータを使用する」（本身印刷（１））、「表紙のみプリント」（表紙別印刷）の選択肢が表示される。
【０２１９】
また、「表示別プリント」のプルダウンメニューボックスで、「表紙以外をプリントして製本する」を選択すると、一つ下のプルダウンメニューボックスがアクティブとなり、「トレイ１」、「トレイ２」、「トレイ３」（以上、オプション給紙部１２）、「給紙台」（メイン給紙部８）の選択肢から本身用紙Ｐ２の給紙元を選択することができる。
【０２２０】
次いで、図１２に示す印刷条件設定画面における「印刷」ボタンがユーザによって押下されると、プリンタのプルダウンメニューボックスにおいて選択入力された印刷装置２（２ａ〜２ｃ）の情報が印刷装置情報取得部１２４によって取得され、オプション給紙部１２がない印刷装置２（２ａ〜２ｃ）に印刷ジョブを出力するか否か等、印刷設定変更受付部１２５によって印刷パターン設定を通常印刷から表紙別印刷に変更する状況か否かを確認する（ステップＳ１８）。
【０２２１】
そして、通常印刷から表紙別印刷に印刷パターン設定を変更する状況である場合には（ステップＳ１８でＹＥＳ）、印刷設定変更報知部１２６によって、図１３に示すような印刷モードの変更を確認するメッセージがモニタ６０に表示される。このメッセージ画面において、ユーザによって「はい」が押下された場合には、印刷設定変更受付部１２５によって、図１４に示すような印刷設定変更画面がモニタ６０に表示される。
【０２２２】
この印刷設定変更画面において、ユーザによって「表紙を全部印刷した後、本文を印刷する」のラジオボタンが選択された場合には（ステップＳ２０でＹＥＳ）、印刷装置２（２ａ〜２ｃ）の動作モードを表紙別印刷に対応する印刷モードに決定する（ステップＳ２２）。
【０２２３】
そして、印刷装置２（２ａ〜２ｃ）の動作モードを表紙別印刷に対応する印刷モードとするのに当たり、表紙用紙Ｐ１の印刷順を逆順に変更する必要があるか否かを確認する（ステップＳ２４）。この確認は、ステップＳ１２において画像データ取得部１２１が取得した画像データが、表紙用紙Ｐ１の裏印刷面Ｐ１ｂのみにバリアブル画像を印刷するものであるか否かによって行うことができる。
【０２２４】
表紙用紙Ｐ１の印刷順を逆順に変更する必要がある場合には（ステップＳ２４でＹＥＳ）、表紙用紙Ｐ１に対するバリアブル画像の印刷順を逆順に変更し、また、バリアブル画像の印刷面を表紙用紙Ｐ１の裏印刷面Ｐ１ｂから表印刷面Ｐ１ａに変更する（ステップＳ２６）。これらの変更は、表紙用紙Ｐ１の印刷順を逆順に変更する必要がない場合には（ステップＳ２４でＮＯ）、行わない。
【０２２５】
一方、印刷設定部１２３は、印刷パターン設定を通常印刷から表紙別印刷に変更する状況でない場合には（ステップＳ１８でＮＯ）、印刷装置２（２ａ〜２ｃ）の動作モードを通常印刷に対応する印刷モードに決定する（ステップＳ２８）。
【０２２６】
そして、印刷設定部１２３は、決定した動作モード（通常印刷に対応する印刷モード又は表紙別印刷に対応する印刷モード）に応じた内容の印刷ジョブデータを生成し、通信ネットワークＮ及びプリンタサーバＳを介して印刷装置２（２ａ〜２ｃ）に出力する（ステップＳ３０）。
【０２２７】
次に、本実施形態の印刷システムで冊子Ｂを製本する際に印刷装置２（２ａ〜２ｃ）で行われる処理を、図１５乃至図１７を参照して説明する。図１５乃至図１７は本実施形態の印刷システムにおいてくるみ製本印刷を行う際に印刷装置２（２ａ〜２ｃ）で行われる処理の手順を示すフローチャートである。
【０２２８】
このうち、図１５は主に印刷ジョブデータの受信に関する処理、図１６及び図１７は主に印刷ジョブの実行中における状態監視に関する処理のフローチャートであり、いずれの処理も、印刷制御部２０によって一定周期毎に常時繰り返し実行される。
【０２２９】
まず、図１５に示すように、印刷制御部２０の印刷ジョブデータ取得部２１０がユーザ端末１（１ａ〜１ｃ）からの印刷ジョブデータを受信したか否かを確認し（ステップＳ４１）、受信した場合は（ステップＳ４１でＹＥＳ）、印刷処理を現在実行中の印刷ジョブがあるか否かを確認する（ステップＳ４３）。
【０２３０】
実行中の印刷ジョブがない場合は（ステップＳ４３でＮＯ）、後述するステップＳ５１に移行し、実行中の印刷ジョブがある場合は（ステップＳ４３でＹＥＳ）、受信した印刷ジョブデータを印刷制御部２０のデータストレージに保存した後（ステップＳ４５）、印刷ジョブデータの受信に関する一連の処理を終了する。
【０２３１】
また、ステップＳ４１で印刷ジョブデータを受信しなかった場合（ＮＯ）は、印刷制御部２０のデータストレージに保存した印刷ジョブデータが存在するか否かを確認する（ステップＳ４７）。保存した印刷ジョブデータが存在しない場合は（ステップＳ４７でＮＯ）、印刷ジョブデータの受信に関する一連の処理を終了する。
【０２３２】
一方、保存した印刷ジョブデータが存在する場合は（ステップＳ４７でＹＥＳ）、実行中の印刷ジョブが完了したか否かを確認する（ステップＳ４９）。完了していない場合は（ステップＳ４９でＮＯ）、印刷ジョブデータの受信に関する一連の処理を終了し、完了した場合は（ステップＳ４９でＹＥＳ）、ステップＳ５１に移行する。
【０２３３】
ステップＳ５１では、印刷ジョブデータ取得部２１０が受信した印刷ジョブデータや、印刷制御部２０のデータストレージに保存された保存順が一番古い印刷ジョブデータの内容に基づいて、その内容に応じた印刷動作が行われるように、印刷データ生成部２２１が印刷データ及び印刷動作データを生成する。
【０２３４】
そして、同じ印刷ジョブデータからくるみ製本用データ抽出部２２２が抽出したくるみ製本動作に関するデータを製本装置３に出力し（ステップＳ５３）、印刷データ生成部２２１が生成した印刷データ及び印刷動作データを用いて印刷ジョブを実行した後（ステップＳ５５）、印刷ジョブデータの受信に関する一連の処理を終了する。
【０２３５】
次に、図１６に示すように、印刷制御部２０の制御により印刷装置２（２ａ〜２ｃ）が印刷ジョブの印刷動作を実行中であるか否かを確認し（ステップＳ６１）、実行中でない場合は（ステップＳ６１でＮＯ）、印刷ジョブの実行中における状態監視に関する一連の処理を終了する。
【０２３６】
また、印刷ジョブの印刷動作を実行中である場合は（ステップＳ６１でＹＥＳ）、印刷制御部２０の印刷データ生成部２２１が印刷データ及び印刷動作データを生成した印刷ジョブデータから設定した印刷装置２（２ａ〜２ｃ）の動作モードが、通常印刷に対応する印刷モードであるか否かを確認する（ステップＳ６２）。
【０２３７】
動作モードが通常印刷に対応する印刷モードでない場合は（ステップＳ６２でＮＯ）、後述するステップＳ９１に移行し、通常印刷に対応する印刷モードである場合は（ステップＳ６２でＹＥＳ）、印刷制御部２０の印刷装置情報取得部２２４が、印刷装置２（２ａ〜２ｃ）のメイン給紙部８やオプション給紙部１２において表紙用紙Ｐ１や本身用紙Ｐ２の用紙切れが新たに発生したか否かを確認する（ステップＳ６３）。
【０２３８】
用紙切れが発生していない場合は（ステップＳ６３でＮＯ）、後述するステップＳ８５に移行し、用紙切れが新たに発生した場合は（ステップＳ６３でＹＥＳ）、印刷制御部２０の印刷データ生成部２２１が、通常印刷による表紙用紙Ｐ１や本身用紙Ｐ２の印刷を停止させる（ステップＳ６５）。そして、印刷制御部２０の印刷装置情報取得部２２４が、用紙切れしたのが表紙用紙Ｐ１であるか否かを確認する（ステップＳ６７）。
【０２３９】
表紙用紙Ｐ１である場合は（ステップＳ６７でＹＥＳ）、印刷制御部２０の印刷状態報知部２２７が、表紙用紙Ｐ１の補充を要求する図１８の用紙補充要求画面をディスプレイ２５０に表示させて、表紙用紙Ｐ１の用紙切れを報知した後（ステップＳ６９）、印刷ジョブの実行中における状態監視に関する一連の処理を終了する。
【０２４０】
一方、用紙切れしたのが表紙用紙Ｐ１でない場合は（ステップＳ６７でＮＯ）、ステップＳ６５で印刷を停止するまでに印刷された本身用紙Ｐ２の枚数を、製本装置３でくるみ製本される複数の冊子Ｂの全ての本身用紙Ｐ２の枚数から差し引いた残印刷枚数が、オプション給紙部１２の最大用紙収容枚数の合計を上回るか否かを、印刷制御部２０の印刷装置情報取得部２２４が取得した情報から確認する（ステップＳ７１）。
【０２４１】
本身用紙Ｐ２の残印刷枚数がオプション給紙部１２の最大用紙収容枚数を上回っていない場合は（ステップＳ７１でＮＯ）、後述するステップＳ７５に移行する。一方、残印刷枚数が最大用紙収容枚数を上回る場合は（ステップＳ７１でＹＥＳ）、印刷制御部２０の印刷データ生成部２２１が、本身用紙Ｐ２の給紙元をオプション給紙部１２からメイン給紙部８に変更した後（ステップＳ７３）、ステップＳ７５に移行する。なお、この変更は、印刷後の表紙用紙Ｐ１が排出部１８から製本装置３のストックトレイ３６に移載され、さらに、メイン給紙部８に本身用紙Ｐ２がセットされた後に確定させる。
【０２４２】
ステップＳ７５では、印刷制御部２０の印刷状態報知部２２７が、本身用紙Ｐ２の補充を要求する図１９の用紙補充要求画面をディスプレイ２５０に表示させて、本身用紙Ｐ２の用紙切れを報知する。なお、ステップＳ７３で本身用紙Ｐ２の給紙元をオプション給紙部１２からメイン給紙部８に変更した場合は、本身用紙Ｐ２を補充する給紙元をメイン給紙部８に変更することも、図１９の用紙補充要求画面で併せて報知する。
【０２４３】
次に、印刷制御部２０の印刷モード変更受付部２２５が、印刷装置２（２ａ〜２ｃ）の動作モードの設定を通常印刷に対応する印刷モードから表紙別印刷に対応する印刷モードに切り替える（ステップＳ７７）。このとき、印刷制御部２０の印刷モード変更報知部２２６は、図１３に示すような印刷モードの変更を確認するメッセージをディスプレイ２５０に表示させる。
【０２４４】
そして、このメッセージ画面において、ユーザによって「はい」が押下された場合に、印刷制御部２０の印刷モード変更受付部２２５は、通常印刷に対応する印刷モードから表紙別印刷に対応する印刷モードへの印刷モードの変更を確定させる。
【０２４５】
次に、印刷制御部２０の印刷データ生成部２２１は、印刷装置２（２ａ〜２ｃ）の動作モードを表紙別印刷に対応する印刷モードに切り替えるのに当たり、表紙用紙Ｐ１の印刷順を逆順に変更する必要があるか否かを確認する（ステップＳ７９）。この確認は、ステップＳ６１において実行中であると確認した印刷ジョブの印刷ジョブデータ中の表紙用紙Ｐ１に印刷する画像データが、表紙用紙Ｐ１の裏印刷面Ｐ１ｂのみにバリアブル画像を印刷するものであるか否かによって行うことができる。
【０２４６】
表紙用紙Ｐ１の印刷順を逆順に変更する必要がある場合には（ステップＳ７９でＹＥＳ）、印刷制御部２０の印刷データ生成部２２１は、表紙用紙Ｐ１に対するバリアブル画像の印刷順を逆順に変更し、また、バリアブル画像の印刷面を表紙用紙Ｐ１の裏印刷面Ｐ１ｂから表印刷面Ｐ１ａに変更する（ステップＳ８１）。これらの変更は、表紙用紙Ｐ１の印刷順を逆順に変更する必要がない場合には（ステップＳ７９でＮＯ）、行わない。
【０２４７】
そして、印刷制御部２０の印刷データ生成部２２１は、表紙別印刷に対応する印刷モードにより印刷ジョブの印刷動作を再開させるための印刷データ及び印刷動作データを生成して、印刷装置２（２ａ〜２ｃ）による印刷ジョブの印刷動作を表紙別印刷に対応する印刷モードで再開させた後（ステップＳ８３）、印刷ジョブの実行中における状態監視に関する一連の処理を終了する。
【０２４８】
また、ステップＳ６３において、表紙用紙Ｐ１や本身用紙Ｐ２の用紙切れが新たに発生していない場合（ＮＯ）に進むステップＳ８５では、印刷制御部２０の印刷装置情報取得部２２４が、通常印刷に対応する印刷モードによる表紙用紙Ｐ１や本身用紙Ｐ２の印刷が表紙用紙Ｐ１の用紙切れにより停止中であるか否かを確認する。停止中でない場合は（ステップＳ８５でＮＯ）、印刷ジョブの実行中における状態監視に関する一連の処理を終了する。
【０２４９】
一方、印刷が停止中である場合は（ステップＳ８５でＹＥＳ）、印刷制御部２０の印刷装置情報取得部２２４が、表紙用紙Ｐ１が補充されたか否かを確認し（ステップＳ８７）、補充されていない場合は（ステップＳ８７でＮＯ）、印刷ジョブの実行中における状態監視に関する一連の処理を終了する。
【０２５０】
また、表紙用紙Ｐ１が補充された場合は（ステップＳ８７でＹＥＳ）、印刷制御部２０の印刷データ生成部２２１が、停止中の印刷を通常印刷に対応する印刷モードのまま再開させて（ステップＳ８９）、印刷ジョブの実行中における状態監視に関する一連の処理を終了する。
【０２５１】
なお、通常印刷に対応する印刷モードによる表紙用紙Ｐ１や本身用紙Ｐ２のが全ての冊子Ｂ分終了した場合は、ステップＳ６１において印刷ジョブが実行中でない（ＮＯ）と確認されることで、図１６のフローチャートの処理が実質的に行われなくなる。
【０２５２】
次に、ステップＳ６２において、印刷制御部２０の印刷データ生成部２２１が印刷データ及び印刷動作データを生成した印刷ジョブデータから設定した印刷装置２（２ａ〜２ｃ）の動作モードが通常印刷に対応する印刷モードでない場合（ＮＯ）に進むステップＳ９１では、図１７に示すように、印刷制御部２０の印刷装置情報取得部２２４が、印刷装置２（２ａ〜２ｃ）のメイン給紙部８やオプション給紙部１２において表紙用紙Ｐ１や本身用紙Ｐ２の用紙切れが新たに発生したか否かを確認する。
【０２５３】
用紙切れが発生していない場合は（ステップＳ９１でＮＯ）、後述するステップＳ９７に移行し、用紙切れが新たに発生した場合は（ステップＳ９１でＹＥＳ）、印刷制御部２０の印刷データ生成部２２１が、表紙別印刷に対応する印刷モードによる表紙用紙Ｐ１や本身用紙Ｐ２の印刷を停止させる（ステップＳ９３）。
【０２５４】
そして、印刷制御部２０の印刷状態報知部２２７が、用紙切れした表紙用紙Ｐ１や本身用紙Ｐ２の補充を要求する図１８や図１９の用紙補充要求画面をディスプレイ２５０に表示させて、表紙用紙Ｐ１や本身用紙Ｐ２の用紙切れを報知した後（ステップＳ９５）、印刷ジョブの実行中における状態監視に関する一連の処理を終了する。
【０２５５】
また、ステップＳ９１において、表紙用紙Ｐ１や本身用紙Ｐ２の用紙切れが新たに発生していない場合（ＮＯ）に進むステップＳ９７では、印刷制御部２０の印刷装置情報取得部２２４が、表紙別印刷に対応する印刷モードによる表紙用紙Ｐ１や本身用紙Ｐ２の印刷が表紙用紙Ｐ１や本身用紙Ｐ２の用紙切れにより停止中であるか否かを確認する。停止中でない場合は（ステップＳ９７でＮＯ）、後述するステップＳ１０３に移行する。
【０２５６】
一方、印刷が停止中である場合は（ステップＳ９７でＹＥＳ）、印刷制御部２０の印刷装置情報取得部２２４が、表紙用紙Ｐ１や本身用紙Ｐ２が補充されたか否かを確認し（ステップＳ９９）、補充されていない場合は（ステップＳ９９でＮＯ）、印刷ジョブの実行中における状態監視に関する一連の処理を終了する。
【０２５７】
また、表紙用紙Ｐ１や本身用紙Ｐ２が補充された場合は（ステップＳ９９でＹＥＳ）、印刷制御部２０の印刷データ生成部２２１が、停止中の印刷を表紙別印刷に対応する印刷モードのまま再開させて（ステップＳ１０１）、印刷ジョブの実行中における状態監視に関する一連の処理を終了する。
【０２５８】
さらに、ステップＳ９７において、表紙別印刷に対応する印刷モードによる表紙用紙Ｐ１や本身用紙Ｐ２の印刷が表紙用紙Ｐ１や本身用紙Ｐ２の用紙切れにより停止中でない場合（ＮＯ）に進むステップＳ１０３では、印刷制御部２０の印刷装置情報取得部２２４が、表紙別印刷に対応する印刷モードによる表紙用紙Ｐ１の印刷が実行中であって、かつ、本身用紙Ｐ２が用紙切れ中であるか否かを確認する。
【０２５９】
本身用紙Ｐ２が用紙切れ中でない場合は（ステップＳ１０３でＮＯ）、後述するステップＳ１１３に移行し、用紙切れ中である場合は（ステップＳ１０３でＹＥＳ）、印刷制御部２０の印刷装置情報取得部２２４が、本身用紙Ｐ２が補充されたか否かを確認し（ステップＳ１０５）、補充されていない場合は（ステップＳ１０５でＮＯ）、ステップＳ１１３に移行する。
【０２６０】
一方、本身用紙Ｐ２が補充された場合は（ステップＳ１０５でＹＥＳ）、印刷制御部２０の印刷データ生成部２２１は、表紙別印刷を終了する時点が到来したところで、表紙別印刷に対応する印刷モードによる表紙用紙Ｐ１の印刷（表紙印刷）を停止させる（ステップＳ１０７）。そして、印刷制御部２０の印刷装置情報取得部２２４が取得した情報から割り出した、これまでに表紙別印刷に対応する印刷モードで印刷された表紙用紙Ｐ１の枚数に対応する冊子Ｂの冊数分の本身用紙Ｐ２を、印刷制御部２０の印刷データ生成部２２１が本身印刷（２）に対応する印刷モードで印刷（本身印刷）させる（ステップＳ１０９）。
【０２６１】
この本身印刷（２）に対応する印刷モードによる本身用紙Ｐ２の印刷は、表紙別印刷による表紙用紙Ｐ１の印刷の終了後、中断した本身用紙Ｐ２の印刷を行うための本身印刷（２）の印刷ジョブデータがユーザ端末１（１ａ〜１ｃ）から入力されてから、その印刷ジョブデータに基づいて実行される。
【０２６２】
さらに、ステップＳ１０９の本身用紙Ｐ２の印刷が終了した後、印刷制御部２０の印刷モード変更受付部２２５が、残る枚数の表紙用紙Ｐ１や本身用紙Ｐ２を印刷する際の印刷装置２（２ａ〜２ｃ）の動作モードの設定を、表紙別印刷に対応する印刷モードから通常印刷に対応する印刷モードに切り替える（ステップＳ１１１）。このとき、印刷制御部２０の印刷モード変更報知部２２６は、図１３に示すような印刷モードの変更を確認するメッセージをディスプレイ２５０に表示させる。
【０２６３】
そして、このメッセージ画面において、ユーザによって「はい」が押下された場合に、印刷制御部２０の印刷モード変更受付部２２５は、表紙別印刷に対応する印刷モードから通常印刷に対応する印刷モードへの印刷モードの変更を確定させる。確定後、印刷制御部２０の印刷データ生成部２２１は、残る枚数の表紙用紙Ｐ１や本身用紙Ｐ２の通常印刷に対応する印刷モードによる印刷を印刷装置２（２ａ〜２ｃ）に再開させた後（ステップＳ１１２）、印刷ジョブの実行中における状態監視に関する一連の処理を終了する。
【０２６４】
また、ステップＳ１０５において、本身用紙Ｐ２が補充されていない場合（ＮＯ）に進むステップＳ１１３では、印刷制御部２０の印刷データ生成部２２１が、表紙別印刷に対応する印刷モードによる表紙用紙Ｐ１の印刷（表紙印刷）が全ての冊子Ｂ分終了したか否かを確認し、終了していない場合は（ステップＳ１１３でＮＯ）、印刷ジョブの実行中における状態監視に関する一連の処理を終了する。
【０２６５】
一方、表紙別印刷に対応する印刷モードによる表紙用紙Ｐ１の印刷（表紙印刷）が全ての冊子Ｂ分終了した場合は（ステップＳ１１３でＹＥＳ）、印刷制御部２０の印刷データ生成部２２１が、表紙別印刷に対応する印刷モードによる表紙用紙Ｐ１の印刷（表紙印刷）を停止させる（ステップＳ１１５）。このとき、印刷状態報知部２２７は、図２０に示すような、表紙用紙Ｐ１に対する画像の印刷が全ての冊子Ｂ分について終了したことを示すメッセージをディスプレイ２５０に表示させる。
【０２６６】
そして、印刷制御部２０の印刷装置情報取得部２２４が、印刷後の表紙用紙Ｐ１が排出先の排出部１８から取り出されたか（製本装置３のストックトレイ３６に移動されたか）否かを確認する（ステップＳ１１７）。排出部１８から取り出されていない場合は（ステップＳ１１７でＮＯ）、印刷ジョブの実行中における状態監視に関する一連の処理を終了し、取り出された場合は（ステップＳ１１７でＹＥＳ）、印刷制御部２０の印刷データ生成部２２１が、本身印刷（２）に対応する印刷モードによる本身用紙Ｐ２の印刷（本身印刷）を開始させた後（ステップＳ１１９）、印刷ジョブの実行中における状態監視に関する一連の処理を終了する。
【０２６７】
なお、製本装置３で行われる処理の手順については、フローチャートを参照した詳細な説明を省略するが、印刷装置２（２ａ〜２ｃ）が通常印刷に対応する印刷モードで表紙用紙Ｐ１と本身用紙Ｐ２の印刷を行っている場合は、印刷装置２の連絡搬送路１９から交互に送り出された冊子Ｂの一冊分の印刷済みの表紙用紙Ｐ１及び本身用紙Ｐ２を導入搬送路３２から取り込んで、先に説明した手順でくるみ製本し冊子Ｂとする。
【０２６８】
また、印刷装置２（２ａ〜２ｃ）が表紙別印刷に対応する印刷モードや本身印刷（２）に対応する印刷モードで表紙用紙Ｐ１と本身用紙Ｐ２の印刷を行っている場合は、印刷装置２の連絡搬送路１９から冊子Ｂの一冊分の印刷済みの本身用紙Ｐ２が送り出されて導入搬送路３２から取り込まれるのに同期して、ストックトレイ３６に積載された全ての冊子Ｂ分の印刷済みの表紙用紙Ｐ１から、対応する冊子Ｂ分の表紙用紙Ｐ１を上部製本搬送路３５に取り込んで、先に説明した手順でくるみ製本し冊子Ｂとする。
【０２６９】
このように、本実施形態の印刷システムでは、オプション給紙部１２を有していない印刷装置２（２ａ〜２ｃ）でも製本装置３でくるみ製本できるように、印刷装置２（２ａ〜２ｃ）が表紙別印刷に対応する印刷モードと本身印刷（２）に対応する印刷モードとで順次動作させる、表紙別印刷や本身印刷（２）に対応する内容の印刷ジョブデータを、ユーザ端末１（１ａ〜１ｃ）から印刷装置２（２ａ〜２ｃ）に出力させる。よって、表紙用紙Ｐ１と本身用紙Ｐ２とが同じ給紙部（メイン給紙部８）から時間差をおいて印刷部５に給紙されるようにすることができる。
【０２７０】
このため、オプション給紙部１２を有していない印刷装置２（２ａ〜２ｃ）を製本装置３と併用して製本システムＡとして運用する際にも、単一の給紙部（メイン給紙部８）から時間差をおいて表紙用紙Ｐ１と本身用紙Ｐ２とをそれぞれまとめて印刷部５に給紙する表紙別印刷や本身印刷（２）を行う際に、表紙用紙Ｐ１や本身用紙Ｐ２の給紙元を適切に設定した印刷ジョブデータをユーザ端末１（１ａ〜１ｃ）で生成することができる。
【０２７１】
なお、本実施形態の印刷システムにおいて、ユーザ端末１（１ａ〜１ｃ）において行っていた、印刷装置２の動作モードの決定や切り替えに関する処理は、全て、印刷装置２（２ａ〜２ｃ）の印刷制御部２０において行うこともできる。
【０２７２】
また、プリンタサーバＳをＷＥＢサーバとして兼用し、通信ネットワークＮ上の各印刷装置２（２ａ〜２ｃ）のプリンタドライバ機能をｗｅｂコンソールで実現するようにして、印刷装置２の動作モードの決定や切り替えに関する処理を全てＷＥＢサーバ兼用のプリンタサーバＳで実現するように構成しても良い。
【０２７３】
さらに、例えば、製本装置３の上部製本搬送路３５の終端に、印刷装置２の連絡搬送路１９から送り出されて導入搬送路３２から取り込んだ表紙用紙Ｐ１を、先入れ先出し方式で全ての冊子Ｂ分ストックできるストッカー（請求項中の表紙排出部）を設けても良い。そうすれば、印刷装置２（２ａ〜２ｃ）を表紙別印刷に対応する印刷モードや本身印刷（２）に対応する印刷モードで動作させたときにも、表紙用紙Ｐ１をインラインで印刷装置２から製本装置３に受け渡すことができる。
【０２７４】
また、本実施形態では、印刷装置２（２ａ〜２ｃ）がインクジェット方式の印刷装置である場合について説明したが、本発明は、例えば、孔版印刷方式や電子写真方式等、インクジェットプリント以外の方式を用いた印刷装置を用いる場合にも適用することができる。
【０２７５】
そして、本発明は上記の実施形態そのままに限定されるものではなく、実施段階ではその要旨を逸脱しない範囲で構成要素を変形して具体化できる。また、上記の実施形態に開示されている複数の構成要素の適宜な組み合せにより、種々の発明を形成できる。例えば、実施形態に示される全構成要素から幾つかの構成要素を削除してもよい。
【符号の説明】
【０２７６】
１（１ａ〜１ｃ）  ユーザ端末
２（２ａ〜２ｃ）  印刷装置
３  製本装置
４  印刷装置筐体
５  印刷部
６Ｃ，６Ｋ，６Ｍ，６Ｙ  インクジェットヘッド
７  印刷搬送路
８  メイン給紙部
９，１３  給紙トレイ
１０，１４  給紙ローラ
１１，１５  給紙搬送路
１２  オプション給紙部
１６  スイッチバック部
１７  スイッチバック搬送路
１８  排出部
１９  連絡搬送路
２０  印刷制御部
３１  製本装置筐体
３２  導入搬送路
３３  整合部
３４  整合トレイ
３５  上部製本搬送路
３６  ストックトレイ
３７  断裁部
３８  カッタ
３９  クランプ部
４０  接着剤塗布部
４１  接着剤収容部
４２  塗布ローラ
４３  成形部
４４  背折りプレート
４５  突き当てプレート
４６  下部製本搬送路
４７  搬送部
４８，４９  ガイド部材
５０  排出部
５１  上側コンベア
５２  上側搬送ベルト
５３，５８  駆動ローラ
５４，５９  従動ローラ
５５  ストッパ
５６  下側コンベア
５７  下側搬送ベルト
５７ａ  積載面
６０  モニタ
６０  第１センサ
６１  第２センサ
６２  上側コンベアモータ
６３  下側コンベアモータ
６４  エンコーダ
６５  ストッパモータ
６６  排出トレイ
６７  可動板
６８  製本制御部
１００  本体
１１０  画像データ生成部
１２０  プリンタドライバ
１２１  画像データ取得部
１２２  製本用画像データ生成部
１２３  印刷設定部
１２４，２２４  印刷装置情報取得部
１２５  印刷設定変更受付部
１２６  印刷設定変更報知部
１２７  表紙印刷終了報知部
１３０  プリンタドライバ
１４０  入力装置
１５０  モニタ
２１０  印刷ジョブデータ取得部
２２０  印刷処理部
２２１  印刷データ生成部
２２２  製本用データ抽出部
２２３  印刷装置情報出力部
２２５  印刷モード変更受付部
２２６  印刷モード変更報知部
２２７  印刷状態報知部
２３０  プリンタエンジンドライバ
２４０  操作部
２５０  ディスプレイ
Ａ  製本システム
Ｂ  冊子
Ｇ  ホットメルト接着剤
Ｎ  通信ネットワーク
Ｐ１  表紙用紙
Ｐ１ａ  表印刷面
Ｐ１ｂ  裏印刷面
Ｐ２  本身用紙
ＰＳ  用紙束
ＰＶ  プレビュー画面
Ｓ  プリンタサーバ
【図１】
0006473628.tif 000002
【図２】
0006473628.tif 000003
【図３】
0006473628.tif 000004
【図４】
0006473628.tif 000005
【図５】
0006473628.tif 000006
【図６】
0006473628.tif 000007
【図７】
0006473628.tif 000008
【図８】
0006473628.tif 000009
【図９】
0006473628.tif 000010
【図１０】
0006473628.tif 000011
【図１１】
0006473628.tif 000012
【図１２】
0006473628.tif 000013
【図１３】
0006473628.tif 000014
【図１４】
0006473628.tif 000015
【図１５】
0006473628.tif 000016
【図１６】
0006473628.tif 000017
【図１７】
0006473628.tif 000018
【図１８】
0006473628.tif 000019
【図１９】
0006473628.tif 000020
【図２０】
0006473628.tif 000021